(57)【要約】【課題】ＣＤＤのプリコーディングシステムにおいてＣＤＤ遅延値（グループ）を確定する方法、システム、基地局及びUEを提供することで、ＣＤＤ遅延値（グループ）の適応更新を実現し、それによってシステム性能を最大限に保障する。【解決手段】本発明では、UEがチャネル推定結果に基づいて、最適なチャネル品質を取得できるプリコーディングコードブックにおけるＣＤＤ遅延値を、サブバンド毎にそれぞれ取得して、基地局にフィードバックするステップＡ１と、基地局が各UEからのローカルの最適なプリコーディングコードブックにおけるＣＤＤ遅延値に基づいて、グローバルのプリコーディングコードブックにおけるＣＤＤ遅延値を選択するステップＡ２と、基地局が、選択したグローバルのプリコーディングコードブックにおけるＣＤＤ遅延値に基づいて、プリコーディングコードブックにおけるＣＤＤ遅延値を更新するステップＡ３とを含む。【選択図】図２
2008118650.tif 000002
【特許請求の範囲】
【請求項１】
基地局及び複数のUEを含むＣＤＤのプリコーディングシステムに用いられる、循環遅延ダイバーシティ遅延値の確定方法であって、
UEが、チャネル推定結果に基づいて、最適なチャネル品質を取得できるプリコーディングコードブックにおけるＣＤＤ遅延値を、サブバンド毎にそれぞれ取得して、基地局にフィードバックするステップＡ１と、
基地局が、各UEからのローカルの最適なプリコーディングコードブックにおけるＣＤＤ遅延値に基づいて、グローバルのプリコーディングコードブックにおけるＣＤＤ遅延値を選択するステップＡ２と、
基地局が、選択したグローバルのプリコーディングコードブックにおけるＣＤＤ遅延値に基づいて、プリコーディングコードブックにおけるＣＤＤ遅延値を更新するステップＡ３と
を含むことを特徴とする方法。
【請求項２】
前記ステップＡ１の前に、
基地局が、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートするステップをさらに含むことを特徴とする請求項１に記載の方法。
【請求項３】
前記ステップＡ１は、
UEが、基地局から送信されたパイロット情報を用いてチャネル推定を行うステップと、
UEが、チャネル推定結果に基づいて、最大の容量又は最大のデータレート、最小の符号誤り率を取得できるプリコーディングコードブックにおけるＣＤＤ遅延値をサブバンド毎にそれぞれ取得するステップと、
UEが、取得したローカルの最適なプリコーディングコードブックにおけるＣＤＤ遅延値を基地局に送信するステップと
をさらに含むことを特徴とする請求項１に記載の方法。
【請求項４】
前記UEが、最適なチャネル品質を取得できるプリコーディングコードブックにおけるＣＤＤ遅延値をサブバンド毎にそれぞれ取得することは、
予め設定されたＣＤＤ遅延値の範囲内において、可能性のある全てのＣＤＤ遅延値を逐一測定することによって、該ユーザが最適なチャネル品質を取得できるようにする最適なＣＤＤ遅延値をサブバンド毎に取得することであることを特徴とする請求項１に記載の方法。
【請求項５】
前記UEが、最適なチャネル品質を取得できるプリコーディングコードブックにおけるＣＤＤ遅延値をサブバンド毎にそれぞれ取得することは、
計算を通じて、UEがサブバンド毎に取得できる最適なチャネル品質に対応した最適なＣＤＤ遅延値を取得することであることを特徴とする請求項１に記載の方法。
【請求項６】
前記ステップＡ２は、
基地局が、各UEからのローカルの最適なプリコーディングコードブックにおけるＣＤＤ遅延値を受信し、それに対して確率分布分析を行うステップと、
基地局が、確率の最大のＮｔ個のＣＤＤ遅延値をグローバルのプリコーディングコードブックにおけるＣＤＤ遅延値とするステップとをさらに含み、
Ｎｔは、送信アンテナ数であることを特徴とする請求項１に記載の方法。
【請求項７】
前記ステップＡ１は、UEが、チャネル推定結果に基づいて、最適なチャネル品質を取得できるプリコーディングコードブックにおけるＣＤＤ遅延値を、サブバンド毎にそれぞれ取得し、最適なＣＤＤ遅延値及びその対応するチャネル品質を基地局にフィードバックするステップをさらに含み、
前記ステップＡ２は、
基地局が、各UEからのローカルの最適なプリコーディングコードブックにおけるＣＤＤ遅延値及びその対応するチャネル品質を受信し、受信したプリコーディングコードブックにおけるＣＤＤ遅延値に対応するチャネル品質に対して確率分布分析を行うステップと、
基地局が、チャネル品質確率の最大のＮｔ個のＣＤＤ遅延値をグローバルのプリコーディングコードブックにおけるＣＤＤ遅延値とするステップとをさらに含むことを特徴とする請求項１に記載の方法。
【請求項８】
循環遅延ダイバーシティ遅延値を確定するシステムであって、基地局及び複数のUEを含み、そのうち、基地局は、プリコーディングコードブックを記憶するためのＣＤＤのプリコーディングコードブックモジュールを含み、UEは、チャネル推定サブモジュールを有するベースバンド復調モジュールを含み、
UEは、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値を基地局に送信するローカルの最適なプリコーディングコードブックにおけるＣＤＤ遅延値取得モジュールをさらに含み、
基地局は、
各UEから送信されたローカルの最適なプリコーディングコードブックにおけるＣＤＤ遅延値を受信するフィードバック情報受信モジュールと、
各UEのローカルの最適なプリコーディングコードブックにおけるＣＤＤ遅延値に対して確率分布分析を行い、確率の最大のＮｔ個のＣＤＤ遅延値を、グローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールと
をさらに含むことを特徴とするシステム。
【請求項９】
UEのローカルの最適なプリコーディングコードブックにおけるＣＤＤ遅延値取得モジュールは、さらに、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値及びその対応するチャネル品質を基地局に送信し、
基地局のフィードバック情報受信モジュールは、さらに、
各UEから送信されたローカルの最適なプリコーディングコードブックにおけるＣＤＤ遅延値及びその対応するチャネル品質を受信し、
基地局の確率分析モジュールは、さらに、
各UEのローカルの最適なプリコーディングコードブックにおけるＣＤＤ遅延値に対応するチャネル品質に対して確率分布分析を行い、チャネル品質確率の最大のＮｔ個のＣＤＤ遅延値をグローバルのプリコーディングコードブックにおけるＣＤＤ遅延値として選択し、ＣＤＤのプリコーディングコードブックモジュールに送信して、プリコーディングコードブックにおけるＣＤＤ遅延値を更新することを特徴とする請求項８に記載のシステム。
【請求項１０】
前記基地局は、
各UEにＣＤＤ遅延値を更新するスタート信号を送信するスタート更新信号送信モジュールをさらに含み、
前記UEは、
基地局からのＣＤＤ遅延値の更新スタート信号を受信して、ローカルの最適なプリコーディングコードブックにおけるＣＤＤ遅延値取得モジュールをスタートするスタート更新信号受信モジュールをさらに含むことを特徴とする請求項８に記載のシステム。
【請求項１１】
前記UEは、
ＣＤＤ遅延値のスタート更新信号を周期的に生成して、ローカルの最適なプリコーディングコードブックにおけるＣＤＤ遅延値取得モジュールに送信するタイミングモジュールをさらに含むことを特徴とする請求項８に記載のシステム。
【請求項１２】
プリコーディングコードブックを記憶するＣＤＤのプリコーディングコードブックモジュールを有する基地局であって、
各UEから送信されたローカルの最適なプリコーディングコードブックにおけるＣＤＤ遅延値を受信するフィードバック情報受信モジュールと、
各UEのローカルの最適なプリコーディングコードブックにおけるＣＤＤ遅延値に対して確率分布分析を行い、確率の最大のＮｔ個のＣＤＤ遅延値を、グローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールと
をさらに含むことを特徴とする基地局。
【請求項１３】
前記フィードバック情報受信モジュールは、さらに、
各UEから送信されたローカルの最適なプリコーディングコードブックにおけるＣＤＤ遅延値及びその対応するチャネル品質を受信し、
前記確率分析モジュールは、さらに、
各UEのローカルの最適なプリコーディングコードブックにおけるＣＤＤ遅延値に対応するチャネル品質に対して確率分布分析を行い、チャネル品質確率の最大のＮｔ個のＣＤＤ遅延値をグローバルのプリコーディングコードブックにおけるＣＤＤ遅延値として選択し、ＣＤＤのプリコーディングコードブックモジュールに送信して、プリコーディングコードブックにおけるＣＤＤ遅延値を更新することを特徴とする請求項１２に記載の基地局。
【請求項１４】
各UEにＣＤＤ遅延値を更新するスタート信号を送信するスタート更新信号送信モジュールをさらに含むことを特徴とする請求項１２に記載の基地局。
【請求項１５】
チャネル推定サブモジュールを有するベースバンド復調モジュールを含むUEであって、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値を基地局に送信するローカルの最適なプリコーディングコードブックにおけるＣＤＤ遅延値取得モジュールをさらに含むことを特徴とするUE。
【請求項１６】
前記ローカルの最適なプリコーディングコードブックにおけるＣＤＤ遅延値取得モジュールは、さらに、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値及びその対応するチャネル品質を基地局に送信することを特徴とする請求項１５に記載のUE。
【請求項１７】
基地局からのＣＤＤ遅延値の更新スタート信号を受信して、ローカルの最適なプリコーディングコードブックにおけるＣＤＤ遅延値取得モジュールをスタートするスタート更新信号受信モジュールをさらに含むことを特徴とする請求項１５に記載のUE。
【請求項１８】
ＣＤＤ遅延値のスタート更新信号を周期的に生成してローカルの最適なプリコーディングコードブックにおけるＣＤＤ遅延値取得モジュールに送信するタイミングモジュールをさらに含むことを特徴とする請求項１５に記載のUE。
【請求項１９】
基地局及び複数のUEを含むＣＤＤのプリコーディングシステムに用いられる循環遅延ダイバーシティ遅延値の確定方法であって、
UEが、チャネル推定結果に基づいて、チャネル特性を判断し、取得したチャネル特性情報を基地局にフィードバックするステップＢ１と、
基地局が、受信した各UEからのチャネル特性情報に基づいて、グローバルのプリコーディングコードブックにおけるＣＤＤ遅延値を選択するステップＢ２と、
基地局が、選択したグローバルのプリコーディングコードブックにおけるＣＤＤ遅延値に基づいて、プリコーディングコードブックにおけるＣＤＤ遅延値を更新するステップＢ３と
を含むことを特徴とする方法。
【請求項２０】
前記ステップＢ１の前に、
基地局が、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートするステップをさらに含むことを特徴とする請求項１９に記載の方法。
【請求項２１】
前記ステップＢ２は、
基地局が、各UEからのチャネル特性情報を受信し、それに対して確率分布分析を行うステップと、
基地局が、確率の最大のチャネル特性にマッチングするＮｔ個のＣＤＤ遅延値をグローバルのプリコーディングコードブックにおけるＣＤＤ遅延値として選択するステップとをさらに含むことを特徴とする請求項１９に記載の方法。
【請求項２２】
前記ステップＢ２は、
基地局が、各UEからのチャネル特性情報を受信し、前記チャネル特性にマッチングするＣＤＤ遅延値に対して確率分布分析を行うステップと、
基地局が、確率の最大のＮｔ個のＣＤＤ遅延値をグローバルのプリコーディングコードブックにおけるＣＤＤ遅延値として選択するステップとをさらに含むことを特徴とする請求項１９に記載の方法。
【請求項２３】
前記チャネル特性は、見通し通信／非見通し通信、ファストフェ−ジング／スローフェ−ジング、フラットフェ−ジング／周波数選択性フェ−ジングのうちの少なくとも一つを含み、
前記マッチング原則は、
見通し通信のチャネルは、大きいプリコーディングコードブックにおけるＣＤＤ遅延値に対応し、非見通し通信のチャネルは、小さいプリコーディングコードブックにおけるＣＤＤ遅延値に対応し、
ファストフェ−ジングのチャネルは、大きいプリコーディングコードブックにおけるＣＤＤ遅延値に対応し、スローフェ−ジングのチャネルは、小さいプリコーディングコードブックにおけるＣＤＤ遅延値に対応し、
フラットフェ−ジングのチャネルは、大きいプリコーディングコードブックにおけるＣＤＤ遅延値に対応し、周波数選択性フェ−ジングのチャネルは、小さいプリコーディングコードブックにおけるＣＤＤ遅延値に対応することを特徴とする請求項２１又は２２に記載の方法。
【請求項２４】
循環遅延ダイバーシティ遅延値を確定するシステムであって、基地局及び複数のUEを含み、そのうち、基地局は、プリコーディングコードブックを記憶するＣＤＤのプリコーディングコードブックモジュールを含み、UEは、チャネル推定サブモジュールを有するベースバンド復調モジュールを含み、
UEは、
チャネル推定サブモジュールから出力したチャネル推定結果に基づいて、チャネル特性を判断し、取得したチャネル特性情報を基地局に送信するチャネル特性判断モジュールをさらに含み、
基地局は、
各UEから送信されたチャネル特性情報を受信するフィードバック情報受信モジュールと、
各UEのチャネル特性に対して確率分布分析を行い、確率の最大のチャネル特性にマッチングするＮｔ個のＣＤＤ遅延値を、グローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールと
をさらに含むことを特徴とするシステム。
【請求項２５】
基地局の確率分析モジュールは、さらに、
各UEのチャネル特性にマッチングするＣＤＤ遅延値に対して確率分布分析を行い、確率の最大のＮｔ個のＣＤＤ遅延値をグローバルのプリコーディングコードブックにおけるＣＤＤ遅延値として選択し、ＣＤＤのプリコーディングコードブックモジュールに送信して、プリコーディングコードブックにおけるＣＤＤ遅延値を更新することを特徴とする請求項２４に記載のシステム。
【請求項２６】
前記基地局は、
各UEにＣＤＤ遅延値を更新するスタート信号を送信するスタート更新信号送信モジュールをさらに含み、
前記UEは、
基地局からのＣＤＤ遅延値の更新スタート信号を受信して、チャネル特性判断モジュールをスタートするスタート更新信号受信モジュールをさらに含むことを特徴とする請求項２４に記載のシステム。
【請求項２７】
前記UEは、
ＣＤＤ遅延値のスタート更新信号を周期的に生成してチャネル特性判断モジュールに送信するタイミングモジュールをさらに含むことを特徴とする請求項２４に記載のシステム。
【請求項２８】
プリコーディングコードブックを記憶するＣＤＤのプリコーディングコードブックモジュールを含む基地局であって、
各UEから送信されたチャネル特性情報を受信するフィードバック情報受信モジュールと、
各UEのチャネル特性に対して確率分布分析を行い、確率の最大のチャネル特性にマッチングするＮｔ個のＣＤＤ遅延値を、グローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールと
をさらに含むことを特徴とする基地局。
【請求項２９】
前記確率分析モジュールは、さらに、
各UEのチャネル特性にマッチングするＣＤＤ遅延値に対して確率分布分析を行い、確率の最大のＮｔ個のＣＤＤ遅延値をグローバルのプリコーディングコードブックにおけるＣＤＤ遅延値として選択し、ＣＤＤのプリコーディングコードブックモジュールに送信して、プリコーディングコードブックにおけるＣＤＤ遅延値を更新することを特徴とする請求項２８に記載の基地局。
【請求項３０】
各UEにＣＤＤ遅延値を更新するスタート信号を送信するスタート更新信号送信モジュールをさらに含むことを特徴とする請求項２８に記載の基地局。
【請求項３１】
チャネル推定サブモジュールを有するベースバンド復調モジュールを含むUEであって、
チャネル推定サブモジュールから出力したチャネル推定結果に基づいて、チャネル特性を判断し、取得したチャネル特性情報を基地局に送信するチャネル特性判断モジュールをさらに含むことを特徴とするUE。
【請求項３２】
基地局からのＣＤＤ遅延値の更新スタート信号を受信して、チャネル特性判断モジュールをスタートするスタート更新信号受信モジュールをさらに含むことを特徴とする請求項３１に記載のUE。
【請求項３３】
ＣＤＤ遅延値のスタート更新信号を周期的に生成してチャネル特性判断モジュールに送信するタイミングモジュールをさらに含むことを特徴とする請求項３１に記載のUE。
【請求項３４】
基地局及び複数のUEを含むＣＤＤのプリコーディングシステムに用いられる循環遅延ダイバーシティ遅延値の確定方法であって、
UEが、チャネル推定結果に基づいて、最適なチャネル品質を取得できるプリコーディングコードブックにおけるＣＤＤ遅延値を、サブバンド毎にそれぞれ取得して、基地局にフィードバックするステップＣ１と、
基地局が、各UEからのローカルの最適なプリコーディングコードブックにおけるＣＤＤ遅延値に基づいて、各ユーザのために最適なプリコーディングコードブックにおけるＣＤＤ遅延値を選択するステップＣ２と、
基地局が、選択したプリコーディングコードブックにおけるＣＤＤ遅延値に基づいて、プリコーディングコードブックにおけるＣＤＤ遅延値を更新するステップＣ３と
を含むことを特徴とする方法。
【請求項３５】
前記ステップＣ１の前に、
基地局が、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートするステップをさらに含むことを特徴とする請求項３４に記載の方法。
【請求項３６】
前記ステップＣ１は、
UEが、基地局から送信されたパイロット情報を用いてチャネル推定を行うステップと、
UEが、チャネル推定結果に基づいて、最大の容量又は最大のデータレート、最小の符号誤り率を取得できるプリコーディングコードブックにおけるＣＤＤ遅延値をサブバンド毎にそれぞれ取得するステップと、
UEが、取得したローカルの最適なプリコーディングコードブックにおけるＣＤＤ遅延値を基地局に送信するステップと
をさらに含むことを特徴とする請求項３４に記載の方法。
【請求項３７】
前記UEが、最適なチャネル品質を取得できるプリコーディングコードブックにおけるＣＤＤ遅延値をサブバンド毎にそれぞれ取得することは、
予め設定されたＣＤＤ遅延値の範囲内において、可能性のある全てのＣＤＤ遅延値を逐一測定することによって、該ユーザが最適なチャネル品質を取得できるようにする最適なＣＤＤ遅延値を取得することであることを特徴とする請求項３４に記載の方法。
【請求項３８】
前記UEが、最適なチャネル品質を取得できるプリコーディングコードブックにおけるＣＤＤ遅延値をサブバンド毎にそれぞれ取得することは、
計算を通じて、UEがサブバンド毎に取得できる最適なチャネル品質に対応した最適なＣＤＤ遅延値を取得することであることを特徴とする請求項３４に記載の方法。
【請求項３９】
前記ステップＣ２は、
基地局が、各UEからのローカルの最適なプリコーディングコードブックにおけるＣＤＤ遅延値を受信し、各UEのローカルの最適なプリコーディングコードブックにおけるＣＤＤ遅延値に対してそれぞれ確率分布分析を行うステップと、
基地局が、確率の最大のＮｔ個のＣＤＤ遅延値を、該当するユーザの最適なプリコーディングコードブックにおけるＣＤＤ遅延値として選択するステップと
をさらに含むことを特徴とする請求項３４に記載の方法。
【請求項４０】
前記ステップＣ１は、
UEが、チャネル推定結果に基づいて、最適なチャネル品質を取得できるプリコーディングコードブックにおけるＣＤＤ遅延値を、サブバンド毎にそれぞれ取得し、最適なＣＤＤ遅延値及びその対応するチャネル品質を基地局にフィードバックするステップをさらに含み、
前記ステップＣ２は、
基地局が、各UEからのローカルの最適なプリコーディングコードブックにおけるＣＤＤ遅延値及びその対応するチャネル品質を受信し、各UEの最適なＣＤＤ遅延値に対応するチャネル品質に対して確率分布分析を行うステップと、
基地局が、チャネル品質確率の最大のＮｔ個のＣＤＤ遅延値を該当するユーザの最適なプリコーディングコードブックにおけるＣＤＤ遅延値として選択するステップとをさらに含むことを特徴とする請求項３４に記載の方法。
【請求項４１】
循環遅延ダイバーシティ遅延値を確定するシステムであって、基地局及び複数のUEを含み、そのうち、基地局は、プリコーディングコードブックを記憶するＣＤＤのプリコーディングコードブックモジュールを含み、UEは、チャネル推定サブモジュールを有するベースバンド復調モジュールを含み、
UEは、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値を基地局に送信するローカルの最適なプリコーディングコードブックにおけるＣＤＤ遅延値取得モジュールをさらに含み、
基地局は、
各UEから送信されたローカルの最適なプリコーディングコードブックにおけるＣＤＤ遅延値を受信するフィードバック情報受信モジュールと、
各UEのローカルの最適なプリコーディングコードブックにおけるＣＤＤ遅延値に対して確率分布分析を行い、確率の最大のＮｔ個のＣＤＤ遅延値を、該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとをさらに含むことを特徴とするシステム。
【請求項４２】
UEのローカルの最適なプリコーディングコードブックにおけるＣＤＤ遅延値取得モジュールは、さらに、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値及びその対応するチャネル品質を基地局に送信し、
基地局のフィードバック情報受信モジュールは、さらに、
各UEから送信されたローカルの最適なプリコーディングコードブックにおけるＣＤＤ遅延値及びその対応したチャネル品質を受信し、
基地局の確率分析モジュールは、さらに、
各UEの最適なＣＤＤ遅延値に対応するチャネル品質に対して確率分布分析を行い、チャネル品質確率の最大のＮｔ個のＣＤＤ遅延値を該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新することを特徴とする請求項４１に記載のシステム。
【請求項４３】
前記基地局は、
各UEにＣＤＤ遅延値を更新するスタート信号を送信するスタート更新信号送信モジュールをさらに含み、
前記UEは、
基地局からのＣＤＤ遅延値の更新スタート信号を受信して、ローカルの最適なプリコーディングコードブックにおけるＣＤＤ遅延値取得モジュールをスタートするスタート更新信号受信モジュールをさらに含むことを特徴とする請求項４１に記載のシステム。
【請求項４４】
前記UEは、
ＣＤＤ遅延値のスタート更新信号を周期的に生成してローカルの最適なプリコーディングコードブックにおけるＣＤＤ遅延値取得モジュールに送信するタイミングモジュールをさらに含むことを特徴とする請求項４１に記載のシステム。
【請求項４５】
プリコーディングコードブックを記憶するＣＤＤのプリコーディングコードブックモジュールを含む基地局であって、
各UEから送信されたローカルの最適なプリコーディングコードブックにおけるＣＤＤ遅延値を受信するフィードバック情報受信モジュールと、
各UEのローカルの最適なプリコーディングコードブックにおけるＣＤＤ遅延値に対して確率分布分析を行い、確率の最大のＮｔ個のＣＤＤ遅延値を、該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールと
をさらに含むことを特徴とする基地局。
【請求項４６】
前記フィードバック情報受信モジュールは、さらに、
各UEから送信されたローカルの最適なプリコーディングコードブックにおけるＣＤＤ遅延値及びその対応するチャネル品質を受信し、
前記確率分析モジュールは、さらに、
各UEの最適なＣＤＤ遅延値に対応するチャネル品質に対して確率分布分析を行い、チャネル品質確率の最大のＮｔ個のＣＤＤ遅延値を該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新することを特徴とする請求項４５に記載の基地局。
【請求項４７】
各UEにＣＤＤ遅延値を更新するスタート信号を送信するスタート更新信号送信モジュールをさらに含むことを特徴とする請求項４５に記載の基地局。
【請求項４８】
基地局及び複数のUEを含むＣＤＤのプリコーディングシステムに用いられる循環遅延ダイバーシティ遅延値の確定方法であって、
UEが、チャネル推定結果に基づいて、チャネル特性を判断し、取得したチャネル特性情報を基地局にフィードバックするステップＤ１と、
基地局が、受信した各UEからのチャネル特性情報に基づいて、各ユーザのために最適なプリコーディングコードブックにおけるＣＤＤ遅延値を選択するステップＤ２と、
基地局が、選択したプリコーディングコードブックにおけるＣＤＤ遅延値に基づいて、プリコーディングコードブックにおけるＣＤＤ遅延値を更新するステップＤ３と
を含むことを特徴とする方法。
【請求項４９】
前記ステップＤ１の前に、
基地局が、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートするステップをさらに含むことを特徴とする請求項４８に記載の方法。
【請求項５０】
前記ステップＤ２は、
基地局が、各UEからのチャネル特性情報を受信し、各ユーザのチャネル特性に対してそれぞれ確率分布分析を行うステップと、
基地局が、確率の最大のチャネル特性にマッチングするＮｔ個のＣＤＤ遅延値を、該当するユーザの最適なプリコーディングコードブックにおけるＣＤＤ遅延値として選択するステップと
をさらに含むことを特徴とする請求項４８に記載の方法。
【請求項５１】
前記ステップＤ２は、
基地局が、各UEからのチャネル特性情報を受信して、各ユーザのチャネル特性にマッチングするＣＤＤ遅延値に対してそれぞれ確率分布分析を行うステップと、
基地局が、確率の最大のＮｔ個のＣＤＤ遅延値を該当するユーザの最適なプリコーディングコードブックにおけるＣＤＤ遅延値として選択するステップと
をさらに含むことを特徴とする請求項４８に記載の方法。
【請求項５２】
前記チャネル特性は、見通し通信／非見通し通信、ファストフェ−ジング／スローフェ−ジング、フラットフェ−ジング／周波数選択性フェージングのうちの少なくとも一つを含み、
マッチング原則は、
見通し通信のチャネルは、大きいプリコーディングコードブックにおけるＣＤＤ遅延値に対応し、非見通し通信のチャネルは、小さいプリコーディングコードブックにおけるＣＤＤ遅延値に対応し、
ファストフェ−ジングのチャネルは、大きいプリコーディングコードブックにおけるＣＤＤ遅延値に対応し、スローフェ−ジングのチャネルは、小さいプリコーディングコードブックにおけるＣＤＤ遅延値に対応し、
フラットフェ−ジングのチャネルは、大きいプリコーディングコードブックにおけるＣＤＤ遅延値に対応し、周波数選択性フェージングのチャネルは、小さいプリコーディングコードブックにおけるＣＤＤ遅延値に対応することを特徴とする請求項５０又は５１に記載の方法。
【請求項５３】
循環遅延ダイバーシティ遅延値を確定するシステムであって、基地局及び複数のUEを含み、そのうち、基地局は、プリコーディングコードブックを記憶するＣＤＤのプリコーディングコードブックモジュールを含み、UEは、チャネル推定サブモジュールを有するベースバンド復調モジュールを含み、
UEは、
チャネル推定サブモジュールから出力したチャネル推定結果に基づいて、チャネル特徴を判断し、取得したチャネル特性情報を基地局に送信するチャネル特性判断モジュールをさらに含み、
基地局は、
各UEから送信されたチャネル特性情報を受信するフィードバック情報受信モジュールと、
各UEのチャネル特性に対してそれぞれ確率分布分析を行い、確率の最大のチャネル特性にマッチングするＮｔ個のＣＤＤ遅延値を、該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールと
をさらに含むことを特徴とするシステム。
【請求項５４】
基地局の確率分析モジュールは、さらに、
各UEのチャネル特性にマッチングするＣＤＤ遅延値に対してそれぞれ確率分布分析を行い、確率の最大のＮｔ個のＣＤＤ遅延値を該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新することを特徴とする請求項５３に記載のシステム。
【請求項５５】
前記基地局は、
各UEにＣＤＤ遅延値を更新するスタート信号を送信するスタート更新信号送信モジュールをさらに含み、
前記UEは、
基地局からのＣＤＤ遅延値の更新スタート信号を受信して、チャネル特性判断モジュールをスタートするスタート更新信号受信モジュールをさらに含むことを特徴とする請求項５３に記載のシステム。
【請求項５６】
前記UEは、
ＣＤＤ遅延値のスタート更新信号を周期的に生成してチャネル特性判断モジュールに送信するタイミングモジュールをさらに含むことを特徴とする請求項５３に記載のシステム。
【請求項５７】
プリコーディングコードブックを記憶するＣＤＤのプリコーディングコードブックモジュールを含む基地局であって、
各UEから送信されたチャネル特性情報を受信するフィードバック情報受信モジュールと、
各UEのチャネル特性に対してそれぞれ確率分布分析を行い、確率の最大のチャネル特性にマッチングするＮｔ個のＣＤＤ遅延値を、該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールと
をさらに含むことを特徴とする基地局。
【請求項５８】
前記確率分析モジュールは、さらに、
各UEのチャネル特性にマッチングするＣＤＤ遅延値に対してそれぞれ確率分布分析を行い、確率の最大のＮｔ個のＣＤＤ遅延値を該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新することを特徴とする請求項５７に記載の基地局。
【請求項５９】
各UEにＣＤＤ遅延値を更新するスタート信号を送信するスタート更新信号送信モジュールをさらに含むことを特徴とする請求項５７に記載の基地局。
【請求項６０】
基地局及び複数のUEを含むＣＤＤのプリコーディングシステムに用いられる循環遅延ダイバーシティ遅延値の確定方法であって、
基地局が、セルの性能を周期的に統計するステップＥ１と、
基地局が、セルの性能及びその対応するＣＤＤ遅延値を統計周期毎に記録するステップＥ２と、
基地局が、記録した複数の周期におけるセルの性能に基づいて、セルの性能が低下したか否かを判断し、セルの性能が低下したと判断した場合、プリコーディングコードブックにおけるＣＤＤ遅延値を更新するステップＥ３と
を含むことを特徴とする方法。
【請求項６１】
前記セルの性能は、平均スループット、平均符号誤り率性能、平均遅延性能、セルエッジのユーザスループットのうちの少なくとも一つであることを特徴とする請求項６０に記載の方法。
【請求項６２】
前記ステップＥ３において、
プリコーディングコードブックにおけるＣＤＤ遅延値を更新することは、
基地局の記録情報に基づいて、使用したことのないＣＤＤ遅延値を選択して更新することであることを特徴とする請求項６０に記載の方法。
【請求項６３】
前記ステップＥ３において、
プリコーディングコードブックにおけるＣＤＤ遅延値を更新することは、
基地局の記録情報に基づいて、過去の一定時間内に性能が比較的によかったＣＤＤ遅延値を選択して更新することであることを特徴とする請求項６０に記載の方法。
【請求項６４】
プリコーディングコードブックを記憶するＣＤＤのプリコーディングコードブックモジュールを含む基地局であって、
ＣＤＤ遅延値更新モジュール、統計結果記憶モジュール及びセル性能統計モジュールをさらに含み、
前記セル性能統計モジュールは、セルの性能を周期的に統計し、セルの性能及びその対応するＣＤＤ遅延値を統計結果記憶モジュールに記憶し、
前記ＣＤＤ遅延値更新モジュールは、統計結果記憶モジュールに記憶された結果を用いて、プリコーディングコードブックにおけるＣＤＤ遅延値を更新することを特徴とする基地局。
【請求項６５】
前記ＣＤＤ遅延値更新モジュールは、さらに、
基地局の記録情報に基づいて、使用したことのないＣＤＤ遅延値を選択してプリコーディングコードブックにおけるＣＤＤ遅延値を更新することを特徴とする請求項６４に記載の基地局。
【請求項６６】
前記ＣＤＤ遅延値更新モジュールは、さらに、
基地局の記録情報に基づいて、過去の一定時間内に性能が比較的によかったＣＤＤ遅延値を選択してプリコーディングコードブックにおけるＣＤＤ遅延値を更新することを特徴とする請求項６４に記載の基地局。
【請求項６７】
基地局及び複数のUEを含むＣＤＤのプリコーディングシステムに用いられる循環遅延ダイバーシティ遅延値の確定方法であって、
基地局が、ユーザの性能を周期的に統計するステップＦ１と、
基地局が、ユーザの性能及びその対応するＣＤＤ遅延値を統計周期毎に記録するステップＦ２と、
基地局が、記録した複数の周期におけるセルの性能に基づいて、ユーザの性能が低下したか否かを判断し、ユーザの性能が低下したと判断した場合、該当するユーザのプリコーディングコードブックにおけるＣＤＤ遅延値を更新するステップＦ３と
を含むことを特徴とする方法。
【請求項６８】
前記ユーザ性能は、平均スループット、平均符号誤り率性能、平均遅延性能のうちの少なくとも一つであることを特徴とする請求項６７に記載の方法。
【請求項６９】
前記ステップＦ３において、
前記該当するユーザのプリコーディングコードブックにおけるＣＤＤ遅延値を更新することは、
基地局の記録情報に基づいて、使用したことのないＣＤＤ遅延値を選択して更新することであることを特徴とする請求項６７に記載の方法。
【請求項７０】
前記ステップＦ３において、
前記該当するユーザのプリコーディングコードブックにおけるＣＤＤ遅延値を更新することは、
基地局の記録情報に基づいて、過去の一定時間内に性能が比較的によかったＣＤＤ遅延値を選択して更新することであることを特徴とする請求項６７に記載の方法。
【請求項７１】
プリコーディングコードブックを記憶するＣＤＤのプリコーディングコードブックモジュールを含む基地局であって、
ＣＤＤ遅延値更新モジュール、統計結果記憶モジュール及びユーザ性能統計モジュールをさらに含み、
前記ユーザ性能統計モジュールは、ユーザの性能を周期的に統計し、ユーザの性能及びその対応するＣＤＤ遅延値を統計結果記憶モジュールに記憶し、
前記ＣＤＤ遅延値更新モジュールは、統計結果記憶モジュールに記憶された結果を用いて、該当するユーザのプリコーディングコードブックにおけるＣＤＤ遅延値を更新することを特徴とする基地局。
【請求項７２】
前記ＣＤＤ遅延値更新モジュールは、さらに、
基地局の記録情報に基づいて、使用したことのないＣＤＤ遅延値を選択して、該当するユーザのプリコーディングコードブックにおけるＣＤＤ遅延値を更新することを特徴とする請求項７１に記載の基地局。
【請求項７３】
前記ＣＤＤ遅延値更新モジュールは、さらに、
基地局の記録情報に基づいて、過去の一定時間内に性能が比較的によかったＣＤＤ遅延値を選択して、該当するユーザのプリコーディングコードブックにおけるＣＤＤ遅延値を更新することを特徴とする請求項７１に記載の基地局。
【発明の詳細な説明】
【技術分野】
【０００１】
本発明は、ＭＩＭＯ-ＯＦＤＭＡシステムに係り、具体的に、ＭＩＭＯ-ＯＦＤＭＡシステムにおいて循環遅延ダイバーシティ（Cyclic Delay Diversity：ＣＤＤ）のプリコーディング（precoding）技術を応用してマルチユーザスケジューリングを行う際に、プリコーディングコードブックにおけるＣＤＤ遅延値（グループ）の確定方法、システム、基地局及びUEに関する。
【背景技術】
【０００２】
ＭＩＭＯ-ＯＦＤＭＡシステムが広く応用され、ますます発展されることにつれて、システム性能を更に向上させるために、ＣＣＤに基づいたプリコーディング技術を導入している。
【０００３】
プリコーディング技術は、システム性能を向上できる効果的な方法であって、送信側で信号に対して予備処理を行うことによって、受信側の複雑度を低下させ、システム性能を改善できる。特に、システムが下りリンクにおけるＳＤＭＡモードで動作するときに、異なる端末間において連合検出ができないため、システムの伝送能力が制限されている（送信ダイバーシティモード（ＴＤ）とシングルユーザのＳＤＭモードにおいては、連合検出を必要としない）。
【０００４】
プリコーディング技術において、異なる端末は、チャネル情報をリアルタイムに基地局にフィードバックし、基地局は、計算を通じて最適なプリコーディング処理を取得できる。当該プリコーディング処理は線型であってもよく、非線型であってもよい。非線型プリコーディングのほうが複雑度が高い。線型プリコーディングシステムにおいて、送信側で異なるデータストリームに対して線型重み付けを行い、数学式で表すと、
【数１】
2008118650.tif 000003
【０００５】
である。そのうち、Ｎｒは受信アンテナ数であり、Ｎｔは送信アンテナ数であり、Ｎｓは同時に伝送するデータストリーム数であり、Ｙは受信側の信号であり、Ｈはチャネル行列であり、Ｐはプリコーディング行列であり、ＸはＮｓの異なるデータストリームである。これらのデータストリームは、同一ユーザのデータストリームであってもよいし、異なるユーザのデータストリームであっても良い。Ｎはノイズである。最適な線型プリコーディングを実現するために、ユーザがリアルタイムにチャネル行列Ｈをフィードバックすることが必要となる。ＯＦＤＭシステムとＯＦＤＭＡシステムにおいて、各サブキャリア（subcarrier）/リソースブロック（resource block）上にチャネル行列Ｈをフィードバックするには、非常に大きい上りフィードバックチャネル帯域幅が必要となる。これは、上りフィードバックオーバーヘッドを低下させる多くのアルゴリズムがあっても、実際のシステムにおいて現実的ではない。そこで、コードブック（codebook）に基づいたプリコーディングシステムがこのような状況において提案された。
【０００６】
図１に示すように、コードブックに基づいたプリコーディングのＭＩＭＯ-ＯＦＤＭ（Ａ）システムにおいて、基地局側に予め設計したコードブックがある。該コードブックには、複数のプリコーディング行列が含まれ、各行列には、複数のプリコーディングベクトルが含まれる。これらの行列及びベクトルは、異なるチャネル（例えばチャネルの統計情報など）、異なる最適化準則（例えば最大化容量、最小化符号誤り率など）に従って予め設計したものである。図１におけるデータストリーム（stream）は、同一ユーザのデータストリームであってもよいし、異なるユーザのデータストリームであっても良い。プリコーディングモジュールは、スケジューリングされたデータストリームに対してプリコーディング操作を行う。逆フーリエ変換モジュールは、データに対して逆フーリエ変換（ＩＦＦＴ）を行う。サイクリックプリフィックス挿入モジュールは、サイクリックプレフィックス（ＣＰ）を挿入する。実際の応用時に、端末は、リアルタイムのチャネル係数を基地局にフィードバックすることなく、コードブックにおけるリアルタイムのチャネルに最もマッチングする行列又はベクトルのインデックスを基地局にフィードバックし、該行列又はベクトルに対応するチャネル品質指標（Channel Quality Indicator，ＣＱＩ）も併せて基地局にフィードバックする。基地局は、端末からのフィードバック情報を受信した後、異なるユーザのチャネル品質指標及びその対応するスケジューリングアルゴリズムによって、マルチユーザスケジューリングを行う。そして、スケジューリングされたユーザがフィードバックした行列又はベクトルを直接利用して送信側のプリコーディング係数とし、改めて計算する必要がない。
【０００７】
チャネル係数の量子化は、複数のビットによって比較的に高い量子化精度（例えば１０ビット）に達することができ、さらに、ＭＩＭＯシステムにおいて、異なる送信アンテナと異なる受信アンテナ間のチャネルがみな量子化を必要としているが（各サブキャリア上のフィードバックオーバーヘッドは１０×Ｎｒ×Ｎｔ）、コードブックに基づいたプリコーディングシステムにおいては、行列インデックスとベクトルインデックス（例えば、四つの行列のインデックスは２ビットを必要とし、各行列の２つのベクトルのインデックスは１ビットしか必要としない）のみをフィードバックすればよいので、コードブックに基づいたプリコーディング技術は、フィードバックオーバーヘッドを大幅に低下させることができる。性能の面から見ると、コードブックに基づいたプリコーディングにおいて、プリコーディング係数はみな予め算出した複数の係数から選択されるものであるため、いつでも最適であるとは保証できない。通常、コードブックに基づいたプリコーディング技術は、最適な非コードブックのプリコーディング技術より性能が僅かに悪い。ただし、このような性能上の差異は、コードブックにおけるプリコーディング係数の数を増やすことによって縮小できる。コードブックにおけるプリコーディング係数が多ければ多いほど、ユーザに提供する、チャネルにマッチングする係数が現れる確率が大きくなり、コードブックに基づいたプリコーディングの性能もよくなるからである。同時に、コードブックにおけるプリコーディング係数の数の増加によってフィードバックオーバーヘッドも増加するため、性能及びフィードバックオーバーヘッドなどのシステム需要に基づいて、適したコードブックのサイズを選択するべきである。
【０００８】
上記は、プリコーディングシステムの基本動作原理である。プリコーディングシステムのコードブックの設計について、複数の従来方法があり、ここでは、詳細な記載をしない。
【０００９】
ＣＤＤのプリコーディング技術とは、従来のプリコーディングコードブックを元にして、ＣＤＤを導入したものである。即ち、コードブックの形式は、
【数２】
2008118650.tif 000004
【００１０】
となる。そのうち、
【数３】
2008118650.tif 000005
【００１１】
は、ＣＤＤ技術を用いたプリコーディングシステムのコードブックである。diag()は対角行列であり、ｋはサブキャリアインデックスであり、ｄiは、i個目の送信アンテナのＣＤＤ遅延値である。Ｎｃは、サブキャリア数であり、
【数４】
2008118650.tif 000006
【００１２】
は、従来のプリコーディング方法におけるコードブックである。
【数５】
2008118650.tif 000007
【００１３】
は、異なる最適化準則に従って設計したコードブックであり、ＣＤＤを結合した後、周波数領域におけるチャネル波動特性を変えることができ、より大きいマルチユーザダイバーシティゲイン及び/又は周波数領域ダイバーシティゲインを取得できる。また、
【数６】
2008118650.tif 000008
【００１４】
は、単位行列であっても良い。このようにして、単純なＣＤＤシステムと等価する。
【００１５】
しかし、従来のコードブック設計方法においては、ＣＤＤの遅延値（グループ）を設計する方法がない。よって、ＣＤＤのプリコーディングシステムにおけるＣＤＤ遅延値（グループ）を如何に確定してシステム性能を向上させるかは、早期解決が要求される技術課題の一つとなっている。
【発明の開示】
【発明が解決しようとする課題】
【００１６】
本発明が解決しようとする技術課題は、ＣＤＤのプリコーディングシステムにおいてＣＤＤ遅延値（グループ）を確定する方法、システム、基地局及びUEを提供することで、ＣＤＤ遅延値（グループ）の適応更新を実現し、それによってシステム性能を最大限に保障することである。
【課題を解決するための手段】
【００１７】
上記技術課題を解決するために、本発明は、以下の技術案を提供する。
【００１８】
本発明に係る、基地局及び複数のUEを含むＣＤＤのプリコーディングシステムに用いられる循環遅延ダイバーシティ遅延値の確定方法は、
UEが、チャネル推定結果に基づいて、最適なチャネル品質を取得できるプリコーディングコードブックにおけるＣＤＤ遅延値を、サブバンド毎にそれぞれ取得して、基地局にフィードバックするステップＡ１と、
基地局が、各UEからのローカルの最適なプリコーディングコードブックにおけるＣＤＤ遅延値に基づいて、グローバルのプリコーディングコードブックにおけるＣＤＤ遅延値を選択するステップＡ２と、
基地局が、選択したグローバルのプリコーディングコードブックにおけるＣＤＤ遅延値に基づいて、プリコーディングコードブックにおけるＣＤＤ遅延値を更新するステップＡ３とを含むことを特徴としている。
【００１９】
本発明の上記方法において、前記ステップＡ１の前に、
基地局が、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートするステップをさらに含む。
【００２０】
本発明の上記方法において、前記ステップＡ１は、
UEが、基地局から送信されたパイロット情報を用いてチャネル推定を行うステップと、
UEが、チャネル推定結果に基づいて、最大の容量又は最大のデータレート、最小の符号誤り率を取得できるプリコーディングコードブックにおけるＣＤＤ遅延値をサブバンド毎にそれぞれ取得するステップと、
UEが、取得したローカルの最適なプリコーディングコードブックにおけるＣＤＤ遅延値を基地局に送信するステップとをさらに含む。
【００２１】
本発明の上記方法において、前記UEが、最適なチャネル品質を取得できるプリコーディングコードブックにおけるＣＤＤ遅延値をサブバンド毎にそれぞれ取得することは、
予め設定されたＣＤＤ遅延値の範囲内において、可能性のある全てのＣＤＤ遅延値を逐一測定することによって、該ユーザが最適なチャネル品質を取得できるようにする最適なＣＤＤ遅延値をサブバンド毎に取得することである。
【００２２】
本発明の上記方法において、前記UEが、最適なチャネル品質を取得できるプリコーディングコードブックにおけるＣＤＤ遅延値をサブバンド毎にそれぞれ取得することは、
計算を通じて、UEがサブバンド毎に取得できる最適なチャネル品質に対応した最適なＣＤＤ遅延値を、サブバンド毎に取得することである。
【００２３】
本発明の上記方法において、前記ステップＡ２は、
基地局が、各UEからのローカルの最適なプリコーディングコードブックにおけるＣＤＤ遅延値を受信し、それに対して確率分布分析を行うステップと、
基地局が、確率の最大のＮｔ個のＣＤＤ遅延値をグローバルのプリコーディングコードブックにおけるＣＤＤ遅延値として選択するステップとを含み、
Ｎｔは、送信アンテナ数である。
【００２４】
本発明の上記方法において、前記ステップＡ１は、UEが、チャネル推定結果に基づいて、最適なチャネル品質を取得できるプリコーディングコードブックにおけるＣＤＤ遅延値を、サブバンド毎にそれぞれ取得し、最適なＣＤＤ遅延値及びその対応するチャネル品質を基地局にフィードバックするステップをさらに含み、
前記ステップＡ２は、
基地局が、各UEからのローカルの最適なプリコーディングコードブックにおけるＣＤＤ遅延値及びその対応するチャネル品質を受信し、受信したプリコーディングコードブックにおけるＣＤＤ遅延値に対応するチャネル品質に対して確率分布分析を行うステップと、
基地局が、チャネル品質確率の最大のＮｔ個のＣＤＤ遅延値をグローバルのプリコーディングコードブックにおけるＣＤＤ遅延値として選択するステップとをさらに含む。
【００２５】
本発明に係る、循環遅延ダイバーシティ遅延値を確定するシステムは、基地局及び複数のUEを含み、そのうち、基地局は、プリコーディングコードブックを記憶するためのＣＤＤのプリコーディングコードブックモジュールを含み、UEは、チャネル推定サブモジュールを有するベースバンド復調モジュールを含み、
UEは、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値を基地局に送信するローカルの最適なプリコーディングコードブックにおけるＣＤＤ遅延値取得モジュールをさらに含み、
基地局は、
各UEから送信されたローカルの最適なプリコーディングコードブックにおけるＣＤＤ遅延値を受信するフィードバック情報受信モジュールと、
各UEのローカルの最適なプリコーディングコードブックにおけるＣＤＤ遅延値に対して確率分布分析を行い、確率の最大のＮｔ個のＣＤＤ遅延値を、グローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとをさらに含むことを特徴としている。
【００２６】
本発明の上記システムにおいて、UEのローカルの最適なプリコーディングコードブックにおけるＣＤＤ遅延値取得モジュールは、さらに、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値及びその対応するチャネル品質を基地局に送信し、
基地局のフィードバック情報受信モジュールは、さらに、
各UEから送信されたローカルの最適なプリコーディングコードブックにおけるＣＤＤ遅延値及びその対応するチャネル品質を受信し、
基地局の確率分析モジュールは、さらに、
各UEのローカルの最適なプリコーディングコードブックにおけるＣＤＤ遅延値に対応するチャネル品質に対して確率分布分析を行い、チャネル品質確率の最大のＮｔ個のＣＤＤ遅延値をグローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する。
【００２７】
本発明の上記システムにおいて、前記基地局は、さらに、
各UEにＣＤＤ遅延値を更新するスタート信号を送信するスタート更新信号送信モジュールを含み、
前記UEは、さらに、
基地局からのＣＤＤ遅延値の更新スタート信号を受信して、ローカルの最適なプリコーディングコードブックにおけるＣＤＤ遅延値取得モジュールをスタートするスタート更新信号受信モジュールを含む。
【００２８】
本発明の上記システムにおいて、前記UEは、さらに、
ＣＤＤ遅延値のスタート更新信号を周期的に生成して、ローカルの最適なプリコーディングコードブックにおけるＣＤＤ遅延値取得モジュールに送信するタイミングモジュールを含む。
【００２９】
本発明に係る、プリコーディングコードブックを記憶するＣＤＤのプリコーディングコードブックモジュールを有する基地局は、
各UEから送信されたローカルの最適なプリコーディングコードブックにおけるＣＤＤ遅延値を受信するフィードバック情報受信モジュールと、
各UEのローカルの最適なプリコーディングコードブックにおけるＣＤＤ遅延値に対して確率分布分析を行い、確率の最大のＮｔ個のＣＤＤ遅延値を、グローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとをさらに含むことを特徴としている。
【００３０】
本発明の上記基地局において、前記フィードバック情報受信モジュールは、さらに、
各UEから送信されたローカルの最適なプリコーディングコードブックにおけるＣＤＤ遅延値及びその対応するチャネル品質を受信し、
前記確率分析モジュールは、さらに、
各UEのローカルの最適なプリコーディングコードブックにおけるＣＤＤ遅延値に対応するチャネル品質に対して確率分布分析を行い、チャネル品質確率の最大のＮｔ個のＣＤＤ遅延値をグローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する。
【００３１】
本発明の上記基地局において、各UEにＣＤＤ遅延値を更新するスタート信号を送信するスタート更新信号送信モジュールをさらに含む。
【００３２】
本発明に係る、チャネル推定サブモジュールを有するベースバンド復調モジュールを含むUEは、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値を基地局に送信するローカルの最適なプリコーディングコードブックにおけるＣＤＤ遅延値取得モジュールをさらに含むことを特徴としている。
【００３３】
本発明の上記UEにおいて、前記ローカルの最適なプリコーディングコードブックにおけるＣＤＤ遅延値取得モジュールは、さらに、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値及びその対応するチャネル品質を基地局に送信する。
【００３４】
本発明の上記UEにおいて、基地局からのＣＤＤ遅延値の更新スタート信号を受信して、ローカルの最適なプリコーディングコードブックにおけるＣＤＤ遅延値取得モジュールをスタートするスタート更新信号受信モジュールをさらに含む。
【００３５】
本発明の上記UEにおいて、ＣＤＤ遅延値のスタート更新信号を周期的に生成してローカルの最適なプリコーディングコードブックにおけるＣＤＤ遅延値取得モジュールに送信するタイミングモジュールをさらに含む。
【００３６】
本発明に係る、基地局及び複数のUEを含むＣＤＤのプリコーディングシステムに用いられる循環遅延ダイバーシティ遅延値の確定方法は、
UEが、チャネル推定結果に基づいて、チャネル特性を判断し、取得したチャネル特性情報を基地局にフィードバックするステップＢ１と、
基地局が、受信した各UEからのチャネル特性情報に基づいて、グローバルのプリコーディングコードブックにおけるＣＤＤ遅延値を選択するステップＢ２と、
基地局が、選択したグローバルのプリコーディングコードブックにおけるＣＤＤ遅延値に基づいて、プリコーディングコードブックにおけるＣＤＤ遅延値を更新するステップＢ３とを含むことを特徴としている。
【００３７】
本発明の上記方法において、前記ステップＢ１の前に、さらに、
基地局が、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートするステップを含む。
【００３８】
本発明の上記方法において、前記ステップＢ２は、さらに、
基地局が、各UEからのチャネル特性情報を受信し、それに対して確率分布分析を行うステップと、
基地局が、確率の最大のチャネル特性にマッチングするＮｔ個のＣＤＤ遅延値をグローバルのプリコーディングコードブックにおけるＣＤＤ遅延値として選択するステップとを含む。
【００３９】
本発明の上記方法において、前記ステップＢ２は、さらに、
基地局が、各UEからのチャネル特性情報を受信し、前記チャネル特性にマッチングするＣＤＤ遅延値に対して確率分布分析を行うステップと、
基地局が、確率の最大のＮｔ個のＣＤＤ遅延値をグローバルのプリコーディングコードブックにおけるＣＤＤ遅延値として選択するステップとを含む。
【００４０】
本発明の上記方法において、前記チャネル特性は、見通し通信／非見通し通信、ファストフェ−ジング／スローフェ−ジング、フラットフェ−ジング／周波数選択性フェ−ジングのうちの少なくとも一つを含み、
前記マッチング原則は、
見通し通信のチャネルは、大きいプリコーディングコードブックにおけるＣＤＤ遅延値に対応し、非見通し通信のチャネルは、小さいプリコーディングコードブックにおけるＣＤＤ遅延値に対応し、
ファストフェ−ジングのチャネルは、大きいプリコーディングコードブックにおけるＣＤＤ遅延値に対応し、スローフェ−ジングのチャネルは、小さいプリコーディングコードブックにおけるＣＤＤ遅延値に対応し、
フラットフェ−ジングのチャネルは、大きいプリコーディングコードブックにおけるＣＤＤ遅延値に対応し、周波数選択性フェ−ジングのチャネルは、小さいプリコーディングコードブックにおけるＣＤＤ遅延値に対応する。
【００４１】
本発明に係る循環遅延ダイバーシティ遅延値を確定するシステムは、基地局及び複数のUEを含み、そのうち、基地局は、プリコーディングコードブックを記憶するＣＤＤのプリコーディングコードブックモジュールを含み、UEは、チャネル推定サブモジュールを有するベースバンド復調モジュールを含み、
UEは、さらに、
チャネル推定サブモジュールから出力したチャネル推定結果に基づいて、チャネル特性を判断し、取得したチャネル特性情報を基地局に送信するチャネル特性判断モジュールを含み、
基地局は、さらに、
各UEから送信されたチャネル特性情報を受信するフィードバック情報受信モジュールと、
各UEのチャネル特性に対して確率分布分析を行い、確率の最大のチャネル特性にマッチングするＮｔ個のＣＤＤ遅延値を、グローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとを含むことを特徴としている。
【００４２】
本発明の上記システムにおいて、基地局の確率分析モジュールは、さらに、
各UEのチャネル特性にマッチングするＣＤＤ遅延値に対して確率分布分析を行い、確率の最大のＮｔ個のＣＤＤ遅延値をグローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する。
【００４３】
本発明の上記システムにおいて、前記基地局は、さらに、
各UEにＣＤＤ遅延値を更新するスタート信号を送信するスタート更新信号送信モジュールを含み、
前記UEは、さらに、
基地局からのＣＤＤ遅延値の更新スタート信号を受信して、チャネル特性判断モジュールをスタートするスタート更新信号受信モジュールを含む。
【００４４】
本発明の上記システムにおいて、前記UEは、さらに、
ＣＤＤ遅延値のスタート更新信号を周期的に生成してチャネル特性判断モジュールに送信するタイミングモジュールを含む。
【００４５】
本発明に係る、プリコーディングコードブックを記憶するＣＤＤのプリコーディングコードブックモジュールを含む基地局は、
各UEから送信されたチャネル特性情報を受信するフィードバック情報受信モジュールと、
各UEのチャネル特性に対して確率分布分析を行い、確率の最大のチャネル特性にマッチングするＮｔ個のＣＤＤ遅延値を、グローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとをさらに含むことを特徴としている。
【００４６】
本発明の上記基地局において、前記確率分析モジュールは、さらに、
各UEのチャネル特性にマッチングするＣＤＤ遅延値に対して確率分布分析を行い、確率の最大のＮｔ個のＣＤＤ遅延値をグローバルのプリコーディングコードブックにおけるＣＤＤ遅延値として選択し、ＣＤＤのプリコーディングコードブックモジュールに送信して、プリコーディングコードブックにおけるＣＤＤ遅延値を更新する。
【００４７】
本発明の上記基地局において、各UEにＣＤＤ遅延値を更新するスタート信号を送信するスタート更新信号送信モジュールをさらに含む。
【００４８】
本発明に係る、チャネル推定サブモジュールを有するベースバンド復調モジュールを含むUEは、
チャネル推定サブモジュールから出力したチャネル推定結果に基づいて、チャネル特性を判断し、取得したチャネル特性情報を基地局に送信するチャネル特性判断モジュールをさらに含むことを特徴としている。
【００４９】
本発明の上記UEにおいて、基地局からのＣＤＤ遅延値の更新スタート信号を受信して、チャネル特性判断モジュールをスタートするスタート更新信号受信モジュールをさらに含む。
【００５０】
本発明の上記UEにおいて、ＣＤＤ遅延値のスタート更新信号を周期的に生成してチャネル特性判断モジュールに送信するタイミングモジュールをさらに含む。
【００５１】
本発明に係る、基地局及び複数のUEを含むＣＤＤのプリコーディングシステムに用いられる循環遅延ダイバーシティ遅延値の確定方法は、
UEが、チャネル推定結果に基づいて、最適なチャネル品質を取得できるプリコーディングコードブックにおけるＣＤＤ遅延値を、サブバンド毎にそれぞれ取得して、基地局にフィードバックするステップＣ１と、
基地局が、各UEからのローカルの最適なプリコーディングコードブックにおけるＣＤＤ遅延値に基づいて、各ユーザのために最適なプリコーディングコードブックにおけるＣＤＤ遅延値を選択するステップＣ２と、
基地局が、選択したプリコーディングコードブックにおけるＣＤＤ遅延値に基づいて、プリコーディングコードブックにおけるＣＤＤ遅延値を更新するステップＣ３とを含むことを特徴としている。
【００５２】
本発明の上記方法において、前記ステップＣ１の前に、さらに、
基地局が、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートするステップを含む。
【００５３】
本発明の上記方法において、前記ステップＣ１は、さらに、
UEが、基地局から送信されたパイロット情報を用いてチャネル推定を行うステップと、
UEが、チャネル推定結果に基づいて、最大の容量又は最大のデータレート、最小の符号誤り率を取得できるプリコーディングコードブックにおけるＣＤＤ遅延値をサブバンド毎にそれぞれ取得するステップと、
UEが、取得したローカルの最適なプリコーディングコードブックにおけるＣＤＤ遅延値を基地局に送信するステップとを含む。
【００５４】
本発明の上記方法において、前記UEが、最適なチャネル品質を取得できるプリコーディングコードブックにおけるＣＤＤ遅延値をサブバンド毎にそれぞれ取得することは、
予め設定されたＣＤＤ遅延値の範囲内において、可能性のある全てのＣＤＤ遅延値を逐一測定することによって、該ユーザが最適なチャネル品質を取得できるようにする最適なＣＤＤ遅延値を取得することである。
【００５５】
本発明の上記方法において、前記UEが、最適なチャネル品質を取得できるプリコーディングコードブックにおけるＣＤＤ遅延値をサブバンド毎にそれぞれ取得することは、
計算を通じて、前記UEがサブバンド毎に取得できる最適なチャネル品質に対応した最適なＣＤＤ遅延値を、サブバンド毎に取得することである。
【００５６】
本発明の上記方法において、前記ステップＣ２は、さらに
基地局が、各UEからのローカルの最適なプリコーディングコードブックにおけるＣＤＤ遅延値を受信し、各UEのローカルの最適なプリコーディングコードブックにおけるＣＤＤ遅延値に対してそれぞれ確率分布分析を行うステップと、
基地局が、確率の最大のＮｔ個のＣＤＤ遅延値を、該当するユーザの最適なプリコーディングコードブックにおけるＣＤＤ遅延値として選択するステップとを含む。
【００５７】
本発明の上記方法において、前記ステップＣ１は、さらに、
UEが、チャネル推定結果に基づいて、最適なチャネル品質を取得できるプリコーディングコードブックにおけるＣＤＤ遅延値を、サブバンド毎にそれぞれ取得し、最適なＣＤＤ遅延値及びその対応するチャネル品質を基地局にフィードバックするステップを含み、
前記ステップＣ２は、さらに、
基地局が、各UEからのローカルの最適なプリコーディングコードブックにおけるＣＤＤ遅延値及びその対応するチャネル品質を受信し、各UEの最適なＣＤＤ遅延値に対応するチャネル品質に対して確率分布分析を行うステップと、
基地局が、チャネル品質確率の最大のＮｔ個のＣＤＤ遅延値を該当するユーザの最適なプリコーディングコードブックにおけるＣＤＤ遅延値として選択するステップとを含む。
【００５８】
本発明に係る循環遅延ダイバーシティ遅延値を確定するシステムは、基地局及び複数のUEを含み、そのうち、基地局は、プリコーディングコードブックを記憶するＣＤＤのプリコーディングコードブックモジュールを含み、UEは、チャネル推定サブモジュールを有するベースバンド復調モジュールを含み、
UEは、さらに、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値を基地局に送信するローカルの最適なプリコーディングコードブックにおけるＣＤＤ遅延値取得モジュールを含み、
基地局は、さらに、
各UEから送信されたローカルの最適なプリコーディングコードブックにおけるＣＤＤ遅延値を受信するフィードバック情報受信モジュールと、
各UEのローカルの最適なプリコーディングコードブックにおけるＣＤＤ遅延値に対して確率分布分析を行い、確率の最大のＮｔ個のＣＤＤ遅延値を、該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとを含むことを特徴としている。
【００５９】
本発明の上記システムにおいて、UEのローカルの最適なプリコーディングコードブックにおけるＣＤＤ遅延値取得モジュールは、さらに、
チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値及びその対応するチャネル品質を基地局に送信し、
基地局のフィードバック情報受信モジュールは、さらに、
各UEから送信されたローカルの最適なプリコーディングコードブックにおけるＣＤＤ遅延値及びその対応したチャネル品質を受信し、
基地局の確率分析モジュールは、さらに、
各UEの最適なＣＤＤ遅延値に対応するチャネル品質に対して確率分布分析を行い、チャネル品質確率の最大のＮｔ個のＣＤＤ遅延値を該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する。
【００６０】
本発明の上記システムにおいて、前記基地局は、さらに、
各UEにＣＤＤ遅延値を更新するスタート信号を送信するスタート更新信号送信モジュールを含み、
前記UEは、さらに、
基地局からのＣＤＤ遅延値の更新スタート信号を受信して、ローカルの最適なプリコーディングコードブックにおけるＣＤＤ遅延値取得モジュールをスタートするスタート更新信号受信モジュールを含む。
【００６１】
本発明の上記システムにおいて、前記UEは、さらに、
ＣＤＤ遅延値のスタート更新信号を周期的に生成してローカルの最適なプリコーディングコードブックにおけるＣＤＤ遅延値取得モジュールに送信するタイミングモジュールを含む。
【００６２】
本発明に係る、プリコーディングコードブックを記憶するＣＤＤのプリコーディングコードブックモジュールを含む基地局は、
各UEから送信されたローカルの最適なプリコーディングコードブックにおけるＣＤＤ遅延値を受信するフィードバック情報受信モジュールと、
各UEのローカルの最適なプリコーディングコードブックにおけるＣＤＤ遅延値に対して確率分布分析を行い、確率の最大のＮｔ個のＣＤＤ遅延値を、該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとをさらに含むことを特徴としている。
【００６３】
本発明の上記基地局において、前記フィードバック情報受信モジュールは、さらに、
各UEから送信されたローカルの最適なプリコーディングコードブックにおけるＣＤＤ遅延値及びその対応するチャネル品質を受信し、
前記確率分析モジュールは、さらに、
各UEの最適なＣＤＤ遅延値に対応するチャネル品質に対して確率分布分析を行い、チャネル品質確率の最大のＮｔ個のＣＤＤ遅延値を該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する。
【００６４】
本発明の上記基地局において、各UEにＣＤＤ遅延値を更新するスタート信号を送信するスタート更新信号送信モジュールをさらに含む。
【００６５】
本発明に係る、基地局及び複数のUEを含むＣＤＤのプリコーディングシステムに用いられる循環遅延ダイバーシティ遅延値の確定方法は、
UEが、チャネル推定結果に基づいて、チャネル特性を判断し、取得したチャネル特性情報を基地局にフィードバックするステップＤ１と、
基地局が、受信した各UEからのチャネル特性情報に基づいて、各ユーザのために最適なプリコーディングコードブックにおけるＣＤＤ遅延値を選択するステップＤ２と、
基地局が、選択したプリコーディングコードブックにおけるＣＤＤ遅延値に基づいて、プリコーディングコードブックにおけるＣＤＤ遅延値を更新するステップＤ３とを含むことを特徴としている。
【００６６】
本発明の上記方法において、前記ステップＤ１の前に、
基地局が、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートするステップをさらに含む。
【００６７】
本発明の上記方法において、前記ステップＤ２は、
基地局が、各UEからのチャネル特性情報を受信し、各ユーザのチャネル特性に対してそれぞれ確率分布分析を行うステップと、
基地局が、確率の最大のチャネル特性にマッチングするＮｔ個のＣＤＤ遅延値を、該当するユーザの最適なプリコーディングコードブックにおけるＣＤＤ遅延値として選択するステップとをさらに含む。
【００６８】
本発明の上記方法において、前記ステップＤ２は、
基地局が、各UEからのチャネル特性情報を受信して、各ユーザのチャネル特性にマッチングするＣＤＤ遅延値に対してそれぞれ確率分布分析を行うステップと、
基地局が、確率の最大のＮｔ個のＣＤＤ遅延値を該当するユーザの最適なプリコーディングコードブックにおけるＣＤＤ遅延値として選択するステップとをさらに含む。
【００６９】
本発明の上記方法において、前記チャネル特性は、見通し通信／非見通し通信、ファストフェ−ジング／スローフェ−ジング、フラットフェ−ジング／周波数選択性フェージングのうちの少なくとも一つを含み、
マッチング原則は、
見通し通信のチャネルは、大きいプリコーディングコードブックにおけるＣＤＤ遅延値に対応し、非見通し通信のチャネルは、小さいプリコーディングコードブックにおけるＣＤＤ遅延値に対応し、
ファストフェ−ジングのチャネルは、大きいプリコーディングコードブックにおけるＣＤＤ遅延値に対応し、スローフェ−ジングのチャネルは、小さいプリコーディングコードブックにおけるＣＤＤ遅延値に対応し、
フラットフェ−ジングのチャネルは、大きいプリコーディングコードブックにおけるＣＤＤ遅延値に対応し、周波数選択性フェージングのチャネルは、小さいプリコーディングコードブックにおけるＣＤＤ遅延値に対応する。
【００７０】
本発明に係る循環遅延ダイバーシティ遅延値を確定するシステムは、基地局及び複数のUEを含み、そのうち、基地局は、プリコーディングコードブックを記憶するＣＤＤのプリコーディングコードブックモジュールを含み、UEは、チャネル推定サブモジュールを有するベースバンド復調モジュールを含み、
UEは、
チャネル推定サブモジュールから出力したチャネル推定結果に基づいて、チャネル特徴を判断し、取得したチャネル特性情報を基地局に送信するチャネル特性判断モジュールをさらに含み、
基地局は、
各UEから送信されたチャネル特性情報を受信するフィードバック情報受信モジュールと、
各UEのチャネル特性に対してそれぞれ確率分布分析を行い、確率の最大のチャネル特性にマッチングするＮｔ個のＣＤＤ遅延値を、該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとをさらに含むことを特徴としている。
【００７１】
本発明の上記システムにおいて、基地局の確率分析モジュールは、さらに、
各UEのチャネル特性にマッチングするＣＤＤ遅延値に対してそれぞれ確率分布分析を行い、確率の最大のＮｔ個のＣＤＤ遅延値を該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する。
【００７２】
本発明の上記システムにおいて、前記基地局は、
各UEにＣＤＤ遅延値を更新するスタート信号を送信するスタート更新信号送信モジュールをさらに含み、
前記UEは、
基地局からのＣＤＤ遅延値の更新スタート信号を受信して、チャネル特性判断モジュールをスタートするスタート更新信号受信モジュールをさらに含む。
【００７３】
本発明の上記システムにおいて、前記UEは、
ＣＤＤ遅延値のスタート更新信号を周期的に生成してチャネル特性判断モジュールに送信するタイミングモジュールをさらに含む。
【００７４】
本発明に係る、プリコーディングコードブックを記憶するＣＤＤのプリコーディングコードブックモジュールを含む基地局は、
各UEから送信されたチャネル特性情報を受信するフィードバック情報受信モジュールと、
各UEのチャネル特性に対してそれぞれ確率分布分析を行い、確率の最大のチャネル特性にマッチングするＮｔ個のＣＤＤ遅延値を、該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する確率分析モジュールとをさらに含むことを特徴としている。
【００７５】
本発明の上記基地局において、前記確率分析モジュールは、さらに、
各UEのチャネル特性にマッチングするＣＤＤ遅延値に対してそれぞれ確率分布分析を行い、確率の最大のＮｔ個のＣＤＤ遅延値を該当するユーザの最適なプリコーディングコードブックにおけるＣＤＤ遅延値として選択し、ＣＤＤのプリコーディングコードブックモジュールに送信して、プリコーディングコードブックにおけるＣＤＤ遅延値を更新する。
【００７６】
本発明の上記基地局において、各UEにＣＤＤ遅延値を更新するスタート信号を送信するスタート更新信号送信モジュールをさらに含む。
【００７７】
本発明に係る、基地局及び複数のUEを含むＣＤＤのプリコーディングシステムに用いられる循環遅延ダイバーシティ遅延値の確定方法は、
基地局が、セルの性能を周期的に統計するステップＥ１と、
基地局が、セルの性能及びその対応するＣＤＤ遅延値を統計周期毎に記録するステップＥ２と、
基地局が、記録した複数の周期におけるセルの性能に基づいて、セルの性能が低下したか否かを判断し、セルの性能が低下したと判断した場合、プリコーディングコードブックにおけるＣＤＤ遅延値を更新するステップＥ３とを含むことを特徴としている。
【００７８】
本発明の上記方法において、前記セルの性能は、平均スループット、平均符号誤り率性能、平均遅延性能、セルエッジのユーザスループットのうちの少なくとも一つである。
【００７９】
本発明の上記方法において、前記ステップＥ３において、
プリコーディングコードブックにおけるＣＤＤ遅延値を更新することは、
基地局の記録情報に基づいて、使用したことのないＣＤＤ遅延値を選択して更新することである。
【００８０】
本発明の上記方法において、前記ステップＥ３において、
プリコーディングコードブックにおけるＣＤＤ遅延値を更新することは、
基地局の記録情報に基づいて、過去の一定時間内に性能が比較的によかったＣＤＤ遅延値を選択して更新することである。
【００８１】
本発明に係る、プリコーディングコードブックを記憶するＣＤＤのプリコーディングコードブックモジュールを含む基地局は、
ＣＤＤ遅延値更新モジュール、統計結果記憶モジュール及びセル性能統計モジュールをさらに含み、
前記セル性能統計モジュールは、セルの性能を周期的に統計し、セルの性能及びその対応するＣＤＤ遅延値を統計結果記憶モジュールに記憶し、
前記ＣＤＤ遅延値更新モジュールは、統計結果記憶モジュールに記憶された結果を用いて、プリコーディングコードブックにおけるＣＤＤ遅延値を更新することを特徴としている。
【００８２】
本発明の上記基地局において、前記ＣＤＤ遅延値更新モジュールは、さらに、
基地局の記録情報に基づいて、使用したことのないＣＤＤ遅延値を選択してプリコーディングコードブックにおけるＣＤＤ遅延値を更新する。
【００８３】
本発明の上記基地局において、前記ＣＤＤ遅延値更新モジュールは、さらに、
基地局の記録情報に基づいて、過去の一定時間内に性能が比較的によかったＣＤＤ遅延値を選択してプリコーディングコードブックにおけるＣＤＤ遅延値を更新する。
【００８４】
本発明に係る、基地局及び複数のUEを含むＣＤＤのプリコーディングシステムに用いられる循環遅延ダイバーシティ遅延値の確定方法は、
基地局が、ユーザの性能を周期的に統計するステップＦ１と、
基地局が、ユーザの性能及びその対応するＣＤＤ遅延値を統計周期毎に記録するステップＦ２と、
基地局が、記録した複数の周期におけるセルの性能に基づいて、ユーザの性能が低下したか否かを判断し、ユーザの性能が低下したと判断した場合、該当するユーザのプリコーディングコードブックにおけるＣＤＤ遅延値を更新するステップＦ３とを含むことを特徴としている。
【００８５】
前記ユーザ性能は、平均スループット、平均符号誤り率性能、平均遅延性能のうちの少なくとも一つである。
【００８６】
本発明の上記方法において、前記ステップＦ３において、
前記該当するユーザのプリコーディングコードブックにおけるＣＤＤ遅延値を更新することは、
基地局の記録情報に基づいて、使用したことのないＣＤＤ遅延値を選択して更新することである。
【００８７】
本発明の上記方法において、前記ステップＦ３において、
前記該当するユーザのプリコーディングコードブックにおけるＣＤＤ遅延値を更新することは、
基地局の記録情報に基づいて、過去の一定時間内に性能が比較的によかったＣＤＤ遅延値を選択して更新することである。
【００８８】
本発明に係る、プリコーディングコードブックを記憶するＣＤＤのプリコーディングコードブックモジュールを含む基地局は、
ＣＤＤ遅延値更新モジュール、統計結果記憶モジュール及びユーザ性能統計モジュールをさらに含み、
前記ユーザ性能統計モジュールは、ユーザの性能を周期的に統計し、ユーザの性能及びその対応するＣＤＤ遅延値を統計結果記憶モジュールに記憶し、
前記ＣＤＤ遅延値更新モジュールは、統計結果記憶モジュールに記憶された結果を用いて、該当するユーザのプリコーディングコードブックにおけるＣＤＤ遅延値を更新することを特徴としている。
【００８９】
本発明の上記基地局において、前記ＣＤＤ遅延値更新モジュールは、さらに、
基地局の記録情報に基づいて、使用したことのないＣＤＤ遅延値を選択して、該当するユーザのプリコーディングコードブックにおけるＣＤＤ遅延値を更新する。
【００９０】
本発明の上記基地局において、前記ＣＤＤ遅延値更新モジュールは、さらに、
基地局の記録情報に基づいて、過去の一定時間内に性能が比較的によかったＣＤＤ遅延値を選択して、該当するユーザのプリコーディングコードブックにおけるＣＤＤ遅延値を更新する。
【００９１】
本発明に係る方法及びシステムによれば、各UEは、チャネル推定結果に基づいて、最適なチャネル品質を取得できる最適なＣＤＤ遅延値をサブバンド毎に取得することで、UEからの最適なＣＤＤ遅延値の適応生成を実現する。基地局は、各UEからの最適なＣＤＤ遅延値又は最適なＣＤＤ遅延値及びその対応するチャネル品質に対して、最適なＣＤＤ遅延値の確率分析又は最適な遅延値に対応するチャネル品質の確率分析を行い、確率分布の最大のグローバルの最適なＣＤＤ遅延値を取得することで、ＣＤＤのプリコーディングシステムのプリコーディングコードブックにおけるＣＤＤ遅延値の適応更新を実現し、システム性能を最大限に保障する。本発明に係るシステム及び方法は、ＣＤＤ遅延値を更新するスタート動作を基地局によって行い、又は、ＣＤＤ遅延値を更新するスタート動作をUEによって周期的、自動的に行うことによって、ＣＤＤのプリコーディングシステムが、システム需要に応じて、プリコーディングコードブックにおけるＣＤＤ遅延値の適応更新を柔軟に実現できるようにする。
【発明の効果】
【００９２】
本発明によれば、、ＣＤＤのプリコーディングシステムにおいてＣＤＤ遅延値（グループ）を確定する方法、システム、基地局及びUEを提供することで、ＣＤＤ遅延値（グループ）の適応更新を実現し、それによってシステム性能を最大限に保障することができる。
【発明を実施するための最良の形態】
【００９３】
以下、実施形態を用いて、図面を参照しながら、本発明が解決しようとする技術課題、技術案要点及び効果を説明する。
【００９４】
実施形態１
本実施形態において、受信側であるUE（ＵＥ）によって、自身に最適なプリコーディングコードブックにおけるＣＤＤ遅延値（グループ）を獲得して基地局（ＢＳ）に送信し、さらに送信側である基地局によって、各UEからの最適なプリコーディングコードブックにおけるＣＤＤ遅延値（グループ）に基づいて、グローバルのプリコーディングコードブックにおけるＣＤＤ遅延値（グループ）を選択し、それによってプリコーディングコードブックにおけるＣＤＤ遅延値（グループ）の適応更新を実現し、システム性能を最大限に保障する。ここで、グローバルとは、同一グループのプリコーディングコードブックにおけるＣＤＤ遅延値（グループ）が全てのユーザに適用するということである。説明の便利上、ＣＤＤ遅延値及びＣＤＤ遅延値グループのいずれもＣＤＤ遅延値という。図２を参照すると、基地局及び複数のUEを含み、ＣＤＤのプリコーディング技術を応用したマルチユーザスケジューリングのＭＩＭＯ-ＯＦＤＭＡシステムにおいて、本発明の実施形態に係る方法は、以下のステップを含む。
【００９５】
ステップ２０１において、基地局は、UEにスタート信号を送信し、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートする。
【００９６】
ステップ２０２において、フィードバック周期毎に、UEは、基地局から送信されたパイロット情報を用いてチャネル推定を行い、チャネル推定結果に基づいて、最適なチャネル品質を取得できるプリコーディングコードブックにおけるＣＤＤ遅延値を、サブバンド毎にそれぞれ取得して、これらのローカルの最適なプリコーディングコードブックにおけるＣＤＤ遅延値、又は、ローカルの最適なプリコーディングコードブックにおけるＣＤＤ遅延値及びその対応するチャネル品質を基地局にフィードバックする。
【００９７】
ステップ２０３において、基地局は、更新プロセスにおいて異なるフィードバック周期に取得した各UEからのローカルの最適なプリコーディングコードブックにおけるＣＤＤ遅延値、又は、ローカルの最適なプリコーディングコードブックにおけるＣＤＤ遅延値及びその対応するチャネル品質を用いて、グローバルのプリコーディングコードブックにおけるＣＤＤ遅延値を選択する。
【００９８】
ステップ２０４において、基地局は、選択したグローバルのプリコーディングコードブックにおけるＣＤＤ遅延値に基づいて、プリコーディングコードブックにおけるＣＤＤ遅延値を更新して、各UEに通知する。
【００９９】
ステップ２０５において、システムは、更新後のプリコーディングコードブックにおけるＣＤＤ遅延値において正常に動作する。
【０１００】
基地局が再びＣＤＤ遅延値の更新をスタートしない、又は、UEによって自動的にＣＤＤ遅延値の更新をスタートするタイミング周期が来なかった場合に、UEがＣＤＤ遅延値を更新する必要がなく、基地局がグローバルのＣＤＤ遅延値を選択する必要もない。
【０１０１】
上記プロセスにおいて、ステップ２０２において、前記UEは、基地局から送信されたパイロット情報を用いてチャネル推定を行い、チャネル推定結果に基づいて、最適なチャネル品質を取得できるプリコーディングコードブックにおけるＣＤＤ遅延値を、サブバンド毎にそれぞれ取得することは、下記二種類の方法を採用することで実現できる。
【０１０２】
方法１は、トラバースサーチを介して、サブバンド毎に、遅延値の取り得る範囲内において可能性のある全てのプリコーディングコードブックにおけるＣＤＤ遅延値を逐一測定し、該ユーザが獲得したチャネル品質（例えば容量、データレート、符号誤り率など）が最適になるようにするプリコーディングコードブックにおけるＣＤＤ遅延値を、該サブバンドにおける最適なＣＤＤ遅延値とする。遅延値の取り得る範囲は、[０、Ｎｃ-１]である。そのうち、Ｎｃは、サブキャリア総数である。循環シフトする操作であるため、周期性を有し、遅延値の取り得る範囲は、[-Ｎｃ/２、Ｎｃ/２-１]と示してもよい。一般的に、最適なＣＤＤ遅延値として選定された値は、０に近く、即ち、絶対値が比較的に小さい。よって、遅延値の取り得る範囲は、[-Ｎｃ/２、Ｎｃ/２-１]と示される。このようにしてサーチ範囲を縮小でき、複雑度を低下させることができる。
【０１０３】
方法２は、計算を通じて、ユーザが獲得したチャネル品質が最適になるようにするプリコーディングコードブックにおけるＣＤＤ遅延値を得ることである。以下、容量を例として、計算を通じて最適なＣＤＤ遅延値を得る場合を具体的に説明する。
【０１０４】
容量計算式によって、UEがサブバンド毎に取得する容量を算出する。
【数７】
2008118650.tif 000009
【０１０５】
そのうち、ＣMは、Ｍ個目のサブバンド上の容量を示す。Ｈは、チャネル推定によって得た、送信アンテナから受信アンテナまでのチャネル応答を示す。ｄiは、i個目の送信アンテナに対応するプリコーディングコードブックにおけるＣＤＤ遅延値を示す。Ｎｔは、送信アンテナ数を示す。ＣＤＤのプリコーディングコードブックにおいて、コードブックのＰは、
【数８】
2008118650.tif 000010
【０１０６】
である。そのうち、Ｎｃは、サブキャリア総数を示す。対角行列は、プリコーディングコードブックにおけるＣＤＤのコードブック部分である。Ｕは、プリコーディングにおいて従来方法によって設計したコードブック部分であり、異なる動作モード（例えばシングルユーザダイバーシティモード、シングルユーザ空間多重化モード、マルチユーザ空間多重化モード）に従って、Ｕの形式が異なる。ＣMを最適化することによって最適なプリコーディングコードブックにおけるＣＤＤ遅延値を得ることができ、例えばラグランジュアルゴリズムで最適化計算を行う。
【０１０７】
上記いずれかの方法によって、UEが各サブバンドにおいてそれぞれ、そのチャネル品質が最適になるように保証できるプリコーディングコードブックにおけるＣＤＤ遅延値を取得できるようにする。そして、UEは、これらのローカルの最適なプリコーディングコードブックにおけるＣＤＤ遅延値、又は、ローカルの最適なプリコーディングコードブックにおけるＣＤＤ遅延値及びその対応するチャネル品質を基地局にフィードバックする。
【０１０８】
本実施形態において、基地局は、各UEからのローカルの最適なプリコーディングコードブックにおけるＣＤＤ遅延値、又は、ローカルの最適なプリコーディングコードブックにおけるＣＤＤ遅延値及びその対応するチャネル品質に基づいて、グローバルのプリコーディングコードブックにおけるＣＤＤ遅延値を選択する。この選択は、複数の方式で度量して選択できるが、以下、二種類の方法を例示する。
【０１０９】
方法１は、同一更新プロセスにおける異なるフィードバック周期内にUEによってフィードバックしたローカルの最適なプリコーディングコードブックにおけるＣＤＤ遅延値を用い、その確率密度分布状況に基づいて選択する。
【０１１０】
{ｄ(iUE、iSB、iInterval)、iUE=1、…、ＮUE、iSB=1、…、ＮSB、iInterval=1、…、ＮInterval}を、同一更新プロセスにおける異なるフィードバック周期内にUEによってフィードバックしたプリコーディングコードブックにおけるＣＤＤ遅延値の集合とする。そのうち、iUEは、UEのインデックスである。iSBはサブバンドのインデックスである。iIntervalは時間領域のフィードバック周期のインデックスである。ＮUEは、フィードバックに参加するユーザの数である。ＮSBはサブバンドの数である。ＮIntervalは、一回の更新プロセスにおけるフィードバック周期の数である。該集合に基づいて、基地局は、{ｄ(iUE、iSB、iInterval)、iUE=1、…、ＮUE、iSB=1、…、ＮSB、iInterval=1、…、ＮInterval}の確率密度分布関数を作成し、確率の最高のＮｔ（送信アンテナ数）個のＣＤＤ遅延値を、グローバルのプリコーディングコードブックにおけるＣＤＤ遅延値とする。このようにして得たＣＤＤ遅延値は、異なるユーザによって最適なＣＤＤ遅延値として選択される最大確率を有する。従って、性能ゲインを提供でき、システム性能を保証する。
【０１１１】
方法２は、同一更新プロセスにおける異なるフィードバック周期内にUEによってフィードバックしたローカルの最適なプリコーディングコードブックにおけるＣＤＤ遅延値及びその対応するチャネル品質を用い、チャネル品質の確率密度分布状況に基づいて選択する。
【０１１２】
該方法を採用するときに、UEは、基地局に最適なＣＤＤ遅延値をフィードバックするとともに、最適なＣＤＤ遅延値に対応するチャネル品質をフィードバックする。ここで、{ｄ(iUE、iSB、iInterval)、iUE=1、…、ＮUE、iSB=1、…、ＮSB、iInterval=1、…、ＮInterval}を、ユーザによってフィードバックしたローカルの最適なＣＤＤ遅延値の集合とし、{Ｃ(iUE、iSB、iInterval)、iUE=1、…、ＮUE、iSB=1、…、ＮSB、iInterval=1、…、ＮInterval}を、ユーザによってフィードバックした、{ｄ(iUE、iSB、iInterval)、iUE=1、…、ＮUE、iSB=1、…、ＮSB、iInterval=1、…、ＮInterval}に対応するＣＱＩとする。上記２つの集合に基づいて、基地局は、まず
【数９】
2008118650.tif 000011
【０１１３】
を用いてＣ(ｄi)を算出する。Ｃ(ｄi)は、プリコーディングコードブックにおいてＣＤＤ遅延値がｄiであるＣＱＩの和を示す。そして、基地局は、{Ｃ(ｄi)}の確率分布関数を作成し、さらに、Ｃ(ｄi)の最高のＮｔ（送信アンテナ数）個のＣＤＤ遅延値をグローバルのプリコーディングコードブックにおけるＣＤＤ遅延値とする。このようにして得たグローバルのプリコーディングコードブックにおけるＣＤＤ遅延値は、最大の確率でシステムに比較的に大きいＣＱＩを提供でき、性能ゲインを提供でき、システム性能を保障する。
【０１１４】
図３に、本発明の実施形態における、基地局によってプリコーディングコードブックにおけるＣＤＤ遅延値の更新処理をスタートするシステムを示す。該システムは、基地局及び複数のUE（図３においては、一つのUEのみの構成を詳しく記載しているが、他のUEも類似しており、重複な説明をしない）を含む。
【０１１５】
そのうち、受信側である各UEは、受信アンテナ、チャネル推定サブモジュールを有するベースバンド復調モジュール、ローカルの最適なプリコーディングコードブックにおけるＣＤＤ遅延値取得モジュール、及びスタート更新信号受信モジュールを含む。
【０１１６】
上記受信アンテナは、基地局から信号を受信する。
【０１１７】
上記チャネル推定サブモジュールは、基地局から送信されたパイロット情報に基づいてチャネル推定を行う。
【０１１８】
上記スタート更新信号受信モジュールは、基地局からのＣＤＤ遅延値更新スタート信号を受信して、ローカルの最適なプリコーディングコードブックにおけるＣＤＤ遅延値取得モジュールをスタートする。
【０１１９】
上記ローカルの最適なプリコーディングコードブックにおけるＣＤＤ遅延値取得モジュールは、スタート信号を受信した後、チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値、又は、ローカルの最適なプリコーディングコードブックにおけるＣＤＤ遅延値及びその対応するチャネル品質を基地局に送信する。
【０１２０】
送信側である基地局は、スケジューリングモジュール、デマルチプレクスモジュール、プリコーディングモジュール、直列/並列変換モジュール、逆フーリエ変換モジュール、サイクリックプリフィックス挿入モジュール、送信アンテナ、ＣＤＤのプリコーディングコードブックモジュール、スタート更新信号送信モジュール、フィードバック情報受信モジュール、及び確率分析モジュールを含む。
【０１２１】
上記スケジューリングモジュールは、ユーザのフィードバック情報（例えばＣＱＩ）に基づいて、マルチユーザに対して無線リソースのスケジューリングを行い、異なるユーザに時間、周波数、空間、コードなどのリソースを割り当てる。
【０１２２】
上記デマルチプレクスモジュールは、データストリームをそれぞれ異なるアンテナブランチに送信する。
【０１２３】
上記プリコーディングモジュールは、データストリームに対してプリコーディング操作を行い、即ち、異なるアンテナブランチのデータシンボルに対して重み付け操作を行う。
【０１２４】
上記直列/並列変換モジュールは、直列のデータストリームを並列のデータストリームに変換する。
【０１２５】
上記逆フーリエ変換モジュールは、並列のデータストリームに対して逆フーリエ変換を行って、信号を周波数領域から時間領域に変換する。
【０１２６】
上記サイクリックプリフィックス挿入モジュールは、逆フーリエ変換モジュールを経由したデータにサイクリックプリフィックスを挿入する。
【０１２７】
上記送信アンテナは、アナログ信号を送信する。
【０１２８】
上記ＣＤＤのプリコーディングコードブックモジュールは、複数のコードブックを含むプリコーディングコードブックを記憶し、プリコーディングコードブックから最適なコードブックを選択して、データに対してプリコーディング操作を行う。
【０１２９】
上記スタート更新信号送信モジュールは、ＣＤＤ遅延値更新スタート信号を各UEに送信する。
【０１３０】
上記フィードバック情報受信モジュールは、各UEから送信されたローカルの最適なプリコーディングコードブックにおけるＣＤＤ遅延値、又は、ローカルの最適なプリコーディングコードブックにおけるＣＤＤ遅延値及びその対応するチャネル品質を受信する。
【０１３１】
上記確率分析モジュールは、フィードバック情報受信モジュールで受信したフィードバック情報を用いて確率分析を行って、グローバルのプリコーディングコードブックにおけるＣＤＤ遅延値を選択し、ＣＤＤのプリコーディングコードブックモジュールに送信して、プリコーディングコードブックにおけるＣＤＤ遅延値を更新する。
【０１３２】
本実施形態のシステムにおいて、基地局のスタート更新信号送信モジュールからＣＤＤ遅延値を更新するスタート信号を各UEに送信すると、各UEのスタート更新信号受信モジュールが該スタート信号を受信し、ローカルの最適なプリコーディングコードブックにおけるＣＤＤ遅延値取得モジュールをスタートする。このとき、前記ローカルの最適なプリコーディングコードブックにおけるＣＤＤ遅延値取得モジュールは、チャネル推定サブモジュールから出力されたチャネル推定結果に基づいて、ユーザの得たチャネル品質が最適になるようにするプリコーディングコードブックにおけるＣＤＤ遅延値を、サブバンド毎に取得して、ローカルの最適なプリコーディングコードブックにおけるＣＤＤ遅延値を基地局のフィードバック情報受信モジュールに送信する。そして、フィードバック情報受信モジュールは、受信した、各UEからのローカルの最適なプリコーディングコードブックにおけるＣＤＤ遅延値、又は、ローカルの最適なプリコーディングコードブックにおけるＣＤＤ遅延値及びその対応するチャネル品質を、確率分析モジュールに送信する。確率分析モジュールは、各UEのローカルの最適なプリコーディングコードブックにおけるＣＤＤ遅延値に対して確率分布分析を行い、確率の最大のＮｔ（送信アンテナ数）個のＣＤＤ遅延値を選択する。そして、確率分析モジュールは、選択したＮｔ個のＣＤＤ遅延値を、ＣＤＤのプリコーディングコードブックモジュールに送信して、プリコーディングコードブックにおけるＣＤＤ遅延値を更新する。又は、確率分析モジュールは、各UEのローカルの最適なプリコーディングコードブックにおけるＣＤＤ遅延値に対応するチャネル品質対して確率分布分析を行って、チャネル品質確率の最大のＮｔ個のＣＤＤ遅延値を選択し、ＣＤＤのプリコーディングコードブックモジュールに送信して、プリコーディングコードブックにおけるＣＤＤ遅延値を更新する。
【０１３３】
図２に示す実施形態に係る方法は、図４に示すシステムによっても実現できる。該システムは、UEによって、プリコーディングコードブックにおけるＣＤＤ遅延値の更新プロセスを周期的、自動的にスタートするものである。図４と図３における実施形態に係るシステムは、図４において、UEにおいてスタート信号を周期的に生成してローカルの最適なプリコーディングコードブックにおけるＣＤＤ遅延値取得モジュールに送信するのは、タイミングモジュールである点で違っている。そのうち、異なるユーザのタイミングモジュールは、同期であってもよいし、非同期であってもよい。このとき、基地局には、スタート更新信号送信モジュールを設ける必要がない。UEがローカルの最適なプリコーディングコードブックにおけるＣＤＤ遅延値を取得する方法、及び、基地局がグローバルのプリコーディングコードブックにおけるＣＤＤ遅延値を選択する方法は、図３に係るシステムと類似しており、さらに、該システムの他の動作フローも図３に係るシステムと類似しているため、ここでは、重複な説明を避ける。
【０１３４】
実施形態２
本実施形態において、受信側であるUEにより、自身のチャネル特性情報を取得して、送信側である基地局によって、各UEからのチャネル特性情報に基づいて、グローバルのプリコーディングコードブックにおけるＣＤＤ遅延値を合理的に選択して、プリコーディングコードブックにおけるＣＤＤ遅延値の適応更新を実現し、システム性能を最大限に保障する。図5を参照すると、基地局及び複数のUEを含み、ＣＤＤのプリコーディング技術を応用したマルチユーザスケジューリングのＭＩＭＯ-ＯＦＤＭＡシステムにおいて、本実施形態に係る方法は、以下のステップを含む。
【０１３５】
ステップ５０１において、基地局は、UEにスタート信号を送信し、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートする。
【０１３６】
ステップ５０２において、フィードバック周期毎に、UEは、基地局から送信されたパイロット情報を用いてチャネル推定を行い、チャネル推定結果に基づいてチャネル特性を判断し、取得したチャネル特性情報を基地局にフィードバックする。
【０１３７】
ステップ５０３において、基地局は、更新プロセスにおいて異なるフィードバック周期内に取得した各UEからのチャネル特性情報を用いて、グローバルのプリコーディングコードブックにおけるＣＤＤ遅延値を合理的に選択する。
【０１３８】
ステップ５０４において、基地局は、選択したグローバルのプリコーディングコードブックにおけるＣＤＤ遅延値に基づいて、プリコーディングコードブックにおけるＣＤＤ遅延値を更新して、各UEに通知する。
【０１３９】
ステップ５０５において、システムは、更新されたプリコーディングコードブックにおけるＣＤＤ遅延値において正常に動作する。
【０１４０】
基地局が再びＣＤＤ遅延値の更新をスタートしない、又は、UEによって周期的、自動的にＣＤＤ遅延値の更新をスタートする周期が来なかったときに、UEがＣＤＤ遅延値を更新する必要がなく、基地局がグローバルのＣＤＤ遅延値を選択する必要もない。
【０１４１】
上記プロセスにおいて、ステップ５０２において、前記UEは、基地局から送信されたパイロット情報を用いてチャネル推定を行い、チャネル推定結果に基づいて、チャネル特性を判断する。チャネル特性情報は、下記のものを含んでもよい。
【０１４２】
見通し通信(ＬＯＳ)と非見通し通信（ＮＬＯＳ）：見通し通信は、送信側と受信側の間に障害物がないため、直線伝送ができ、チャネル応答に相対的に一定となるコンボーネントを持たせる。非見通し通信は、送信側と受信側の間に障害物が存在するため、直線伝送のコンボーネントがない。
【０１４３】
ファストフェ−ジング（fast  fading）とスローフェ−ジング（slow  fading）：ファストフェ−ジングとは、チャネル応答が時間領域において迅速に変化するフェ−ジングであって、ユーザの快速移動によるものである。スローフェ−ジングとは、チャネル応答が時間領域において遅く変化し、隣接時間のチャネル応答間の相関性が比較的に強いフェ−ジングであって、ユーザの低速移動によるものである。
【０１４４】
フラットフェ−ジング（flat  fading）と周波数選択性フェ−ジング（frequency-Selective  fading）：フラットフェ−ジングとは、チャネルの周波数領域応答が比較的に平坦であり、即ち、時間領域におけるチャネル応答のマルチパス数が比較的少ないフェ−ジングである。周波数選択性フェ−ジングとは、チャネルの周波数領域応答が周波数の変化につれて激しく変化し、即ち、時間領域におけるチャネル応答のマルチパスが比較的に多いフェ−ジングである。
【０１４５】
いずれのチャネル特性情報であっても、簡単な符号化によって基地局に送信することができる。基地局は、各UEからのチャネル特性情報に基づいて、グローバルのプリコーディングコードブックにおけるＣＤＤ遅延値を合理的に選択する。
【０１４６】
異なるチャネル特性に対応するプリコーディングコードブックにおけるＣＤＤ遅延値はそれぞれ異なる。詳しくは下記である。
【０１４７】
見通し通信と非見通し通信について説明すると、見通し通信のチャネルには、大きいプリコーディングコードブックにおけるＣＤＤ遅延値が適用し、非見通し通信のチャネルには、小さいプリコーディングコードブックにおけるＣＤＤ遅延値が適用する。
【０１４８】
ファストフェ−ジングとスローフェ−ジングについて説明すると、ファストフェ−ジングのチャネルには、大きいプリコーディングコードブックにおけるＣＤＤ遅延値が適用し、スローフェ−ジングのチャネルには、小さいプリコーディングコードブックにおけるＣＤＤ遅延値が適用する。
【０１４９】
フラットフェ−ジングと周波数選択性フェ−ジングについて説明すると、フラットフェ−ジングのチャネルには、大きいプリコーディングコードブックにおけるＣＤＤ遅延値が適用し、周波数選択性フェ−ジングのチャネルには、小さいプリコーディングコードブックにおけるＣＤＤ遅延値が適用する。
【０１５０】
ステップ５０３において、前記基地局は、更新プロセスにおいて異なるフィードバック周期内に取得した、各UEからのチャネル特性情報を用いて、グローバルのプリコーディングコードブックにおけるＣＤＤ遅延値を合理的に選択する。該ステップにおいて、下記二種類の方法を採用してもよい。
【０１５１】
方法１：基地局は、ユーザからフィードバックしたチャネル特性情報に基づいて、異なるチャネル特性の確率分布を分析する。確率の最大のチャネル特性情報に対して、上述三つの関係に基づいて、プリコーディングコードブックにおけるＣＤＤ遅延値を選択する。即ち、確率の最大のチャネル特性にマッチングするＮｔ個のＣＤＤ遅延値を選択して、グローバルのプリコーディングコードブックにおけるＣＤＤ遅延値とする。
【０１５２】
方法２：基地局は、ユーザからフィードバックしたチャネル特性情報に基づいて、先ず各ユーザのチャネルにはどんなプリコーディングコードブックにおけるＣＤＤ遅延値（大きいＣＤＤ遅延値又は小さいＣＤＤ遅延値）が適用するかを判断し、その後、大きいと小さいＣＤＤ遅延値の確率分布を分析し、確率の最大のＮｔ個のＣＤＤ遅延値を選択して、グローバルのプリコーディングコードブックにおけるＣＤＤ遅延値とする。
【０１５３】
図６を参照すると、本実施形態に係る、基地局によってプリコーディングコードブックにおけるＣＤＤ遅延値の更新処理をスタートするシステムは、基地局及び複数のUE（図６においては、一つのUEのみの構成を詳しく示しているが、他のUEも類似しており、重複な説明をしない）を含む。
【０１５４】
そのうち、受信側である各UEは、受信アンテナ、チャネル推定サブモジュールを有するベースバンド復調モジュール、チャネル特性判断モジュール、及びスタート更新信号受信ジュールを含む。
【０１５５】
上記受信アンテナは、基地局から信号を受信する。
【０１５６】
上記チャネル推定サブモジュールは、基地局から送信されたパイロット情報に基づいてチャネル推定を行う。
【０１５７】
上記スタート更新信号受信モジュールは、基地局からのＣＤＤ遅延値の更新スタート信号を受信して、チャネル特性判断モジュールをスタートする。
【０１５８】
上記チャネル特性判断モジュールは、スタート信号を受信した後、チャネル推定サブモジュールから出力したチャネル推定結果に基づいて、チャネル特性を判断し、取得したチャネル特性情報をを基地局に送信する。
【０１５９】
送信側である基地局は、スケジューリングモジュール、デマルチプレクスモジュール、プリコーディングモジュール、直列/並列変換モジュール、逆フーリエ変換モジュール、サイクリックプリフィックス挿入モジュール、送信アンテナ、ＣＤＤのプリコーディングコードブックモジュール、スタート更新信号送信モジュール、フィードバック情報受信モジュール、及び確率分析モジュールを含む。
【０１６０】
上記スケジューリングモジュールは、ユーザのフィードバック情報（例えばＣＱＩ）に基づいて、マルチユーザに対して無線リソースのスケジューリングを行い、異なるユーザに時間、周波数、空間、コードなどのリソースを割り当てる。
【０１６１】
上記デマルチプレクスモジュールは、データストリームをそれぞれ異なるアンテナブランチに送信する。
【０１６２】
上記プリコーディングモジュールは、データストリームに対してプリコーディング操作を行い、即ち、異なるアンテナブランチのデータシンボルに対して重み付け操作を行う。
【０１６３】
上記直列/並列変換モジュールは、直列のデータストリームを並列のデータストリームに変換する。
【０１６４】
上記逆フーリエ変換モジュールは、並列のデータストリームに対して逆フーリエ変換を行って、信号を周波数領域から時間領域に変換する。
【０１６５】
上記サイクリックプリフィックス挿入モジュールは、逆フーリエ変換モジュールを経由したデータにサイクリックプリフィックスを挿入する。
【０１６６】
上記送信アンテナは、アナログ信号を送信する。
【０１６７】
上記ＣＤＤのプリコーディングコードブックモジュールは、複数のコードブックを含むプリコーディングコードブックを記憶し、プリコーディングコードブックから最適なコードブックを選択して、データに対してプリコーディング操作を行う。
【０１６８】
上記スタート更新信号送信モジュールは、ＣＤＤ遅延値を更新するスタート信号を各UEに送信する。
【０１６９】
上記フィードバック情報受信モジュールは、各UEから送信されたチャネル特性情報を受信する。
【０１７０】
上記確率分析モジュールは、フィードバック情報受信モジュールで受信したチャネル特性情報を用いて確率分析を行って、グローバルのプリコーディングコードブックにおけるＣＤＤ遅延値を選択し、ＣＤＤのプリコーディングコードブックモジュールに送信して、プリコーディングコードブックにおけるＣＤＤ遅延値を更新する。
【０１７１】
本実施形態のシステムにおいて、基地局のスタート更新信号送信モジュールから各UEにＣＤＤ遅延値を更新するスタート信号を送信した後、各UEにおけるスタート更新信号受信モジュールは該スタート信号を受信し、チャネル特性判断モジュールをスタートする。このとき、上記チャネル特性判断モジュールは、チャネル推定サブモジュールから出力されたチャネル推定結果に基づいて、該ユーザのチャネル特性情報を判断し、取得したチャネル特性情報を基地局のフィードバック情報受信モジュールにフィードバックする。そして、フィードバック情報受信モジュールは、受信した、各UEからのチャネル特性情報を確率分析モジュールに送信する。確率分析モジュールは、各UEのチャネル特性に対して確率分布分析を行い、確率の最大のチャネル特性にマッチングするＮｔ（送信アンテナ数）個のＣＤＤ遅延値を選択する。そして、確率分析モジュールは、選択したＮｔ個のＣＤＤ遅延値を、ＣＤＤのプリコーディングコードブックモジュールに送信して、プリコーディングコードブックにおけるＣＤＤ遅延値を更新する。又は、確率分析モジュールは、各UEのチャネル特性にマッチングするＣＤＤ遅延値に対して確率分布分析を行い、確率の最大のＮｔ個のＣＤＤ遅延値を選択し、ＣＤＤのプリコーディングコードブックモジュールに送信して、プリコーディングコードブックにおけるＣＤＤ遅延値を更新する。
【０１７２】
図５に示す実施形態に係る方法は、図７に示すシステムによっても実現できる。該システムは、UEによって、プリコーディングコードブックにおけるＣＤＤ遅延値の更新プロセスを周期的、自動的にスタートするものである。図7と図6における実施形態に係るシステムは、図7において、UEにおいてスタート信号を周期的に生成してチャネル特性判断モジュールに送信するのはタイミングモジュールである点で違っている。そのうち、異なるユーザのタイミングモジュールは、同期であってもよいし、非同期であってもよい。このとき、基地局には、スタート更新信号送信モジュールを設ける必要がない。ここで、基地局がグローバルのプリコーディングコードブックにおけるＣＤＤ遅延値を選択する方法は、図６に示すシステムと類似しており、さらに、該システムの他の動作フローも図６に示すシステムと類似しているため、ここでは、重複な説明を避ける。
【０１７３】
実施形態３
本実施形態において、受信側であるUEによって、自身に最適なプリコーディングコードブックにおけるＣＤＤ遅延値を取得して基地局にフィードバックする。さらに送信側である基地局により、各UEからの最適なプリコーディングコードブックにおけるＣＤＤ遅延値に基づいて、各ユーザに最適なプリコーディングコードブックにおけるＣＤＤ遅延値をそれぞれ選択して、プリコーディングコードブックにおけるＣＤＤ遅延値の適応更新を実現し、さらに、プリコーディングコードブックにおけるＣＤＤ遅延値の更新を、各ユーザに対して独立に行うことで、システム性能を最大限に保障する。図８を参照すると、基地局及び複数のUEを含み、ＣＤＤのプリコーディング技術を応用したマルチユーザスケジューリングのＭＩＭＯ-ＯＦＤＭＡシステムにおいて、本発明の実施形態に係る方法は、以下のステップを含む。
【０１７４】
ステップ８０１において、基地局は、UEにスタート信号を送信し、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートする。
【０１７５】
ステップ８０２において、フィードバック周期毎に、UEは、基地局から送信されたパイロット情報を用いてチャネル推定を行い、チャネル推定結果に基づいて、最適なチャネル品質を取得できるプリコーディングコードブックにおけるＣＤＤ遅延値を、サブバンド毎にそれぞれ取得し、これらのローカルの最適なプリコーディングコードブックにおけるＣＤＤ遅延値、又は、ローカルの最適なプリコーディングコードブックにおけるＣＤＤ遅延値及びその対応するチャネル品質を基地局にフィードバックする。
【０１７６】
ステップ８０３において、基地局は、更新プロセスにおいて異なるフィードバック周期に取得した各UEからのローカルの最適なプリコーディングコードブックにおけるＣＤＤ遅延値、又は、ローカルの最適なプリコーディングコードブックにおけるＣＤＤ遅延値及びその対応するチャネル品質を用いて、各ユーザのために最適なプリコーディングコードブックにおけるＣＤＤ遅延値をそれぞれ選択する。
【０１７７】
ステップ８０４において、基地局は、選択したプリコーディングコードブックにおけるＣＤＤ遅延値に基づいて、プリコーディングコードブックにおけるＣＤＤ遅延値を更新して、各UEに通知する。
【０１７８】
ステップ８０５において、システムは、更新後のプリコーディングコードブックにおけるＣＤＤ遅延値において正常に動作する。
【０１７９】
基地局が再びＣＤＤ遅延値の更新をスタートしない、又は、UEによって周期的、自動的にＣＤＤ遅延値の更新をスタートするタイミング周期が来なかったときに、UEがＣＤＤ遅延値を更新する必要がなく、基地局がＣＤＤ遅延値を選択する必要もない。正常の動作プロセスにおいて、スケジューリングされたユーザデータに対して、基地局は、該ユーザに対応するプリコーディングコードブックにおけるＣＤＤ遅延値を用いて該データを処理する。
【０１８０】
上記プロセスにおいて、ステップ８０２において、前記UEは、基地局から送信されたパイロット情報を用いてチャネル推定を行い、チャネル推定結果に基づいて、最適なプリコーディングコードブックにおけるＣＤＤ遅延値を、サブバンド毎にそれぞれ取得することは、下記二種類の方法を採用することで実現できる。
【０１８１】
方法１は、トラバースサーチを介して、サブバンド毎に、遅延値の取り得る範囲内において可能性のある全てのプリコーディングコードブックにおけるＣＤＤ遅延値を逐一測定し、該ユーザが獲得したチャネル品質（例えば、容量、データレート、符号誤り率など）が最適になるようにするプリコーディングコードブックにおけるＣＤＤ遅延値を、該サブバンドにおける最適なＣＤＤ遅延値とする。遅延値の取り得る範囲は、[０、Ｎｃ-１]である。そのうち、Ｎｃは、サブキャリア総数である。循環シフトする操作であるため、周期性を有し、遅延値の取り得る範囲は、[-Ｎｃ/２、Ｎｃ/２-１]と示してもよい。マルチユーザシステムにおいて、一般的に、最適なＣＤＤ遅延値として選定された値は、０に近く、即ち、絶対値が比較的に小さい。よって、遅延値の取り得る範囲は、[-Ｎｃ/２、Ｎｃ/２-１]と示される。このようにしてサーチ範囲を縮小でき、複雑度を低下させることができる。
【０１８２】
方法２は、計算を通じて、ユーザが獲得したチャネル品質が最適になるようにするプリコーディングコードブックにおけるＣＤＤ遅延値を得ることである。以下、容量を例として、計算を通じて最適なＣＤＤ遅延値を得る場合を具体的に説明する。
【０１８３】
容量計算式によって、UEがサブバンド毎に取得する容量を算出する。
【数１０】
2008118650.tif 000012
【０１８４】
そのうち、ＣMは、Ｍ個目のサブバンド上の容量を示す。Ｈは、チャネル推定によって得た、送信アンテナから受信アンテナまでのチャネル応答を示す。ｄiは、i個目の送信アンテナに対応するプリコーディングコードブックにおけるＣＤＤ遅延値を示す。Ｎｔは、送信アンテナ数を示す。ＣＤＤのプリコーディングコードブックにおいて、コードブックのＰは、
【数１１】
2008118650.tif 000013
【０１８５】
である。そのうち、Ｎｃは、サブキャリア総数を示す。対角行列は、プリコーディングコードブックにおけるＣＤＤのコードブック部分である。Ｕは、プリコーディングにおいて従来方法によって設計したコードブック部分であり、異なる動作モード（例えばシングルユーザダイバーシティモード、シングルユーザ空間多重化モード、マルチユーザ空間多重化モード）に従って、Ｕの形式が異なる。ＣMを最適化することによって最適なプリコーディングコードブックにおけるＣＤＤ遅延値を得ることができ、例えばラグランジュアルゴリズムで最適化計算を行う。
【０１８６】
上記いずれかの方法によって、UEが各サブバンドにおいてそれぞれ、そのチャネル品質が最適になるように保証できるプリコーディングコードブックにおけるＣＤＤ遅延値を取得できるようにする。そして、UEは、これらのローカルの最適なプリコーディングコードブックにおけるＣＤＤ遅延値、又は、ローカルの最適なプリコーディングコードブックにおけるＣＤＤ遅延値及びその対応するチャネル品質を基地局にフィードバックする。
【０１８７】
本実施形態において、基地局は、各UEからのローカルの最適なプリコーディングコードブックにおけるＣＤＤ遅延値、又は、ローカルの最適なプリコーディングコードブックにおけるＣＤＤ遅延値及びその対応するチャネル品質に基づいて、各ユーザのために最適なプリコーディングコードブックにおけるＣＤＤ遅延値を選択する。この選択は、複数の方式で度量して選択できるが、以下、二種類の方法を例示する。
【０１８８】
方法１は、同一更新プロセスにおける異なるフィードバック周期内にUEによってフィードバックしたローカルの最適なプリコーディングコードブックにおけるＣＤＤ遅延値を用い、その確率密度分布状況に基づいて選択する。
【０１８９】
{ｄiUE (iSB、iInterval)、iSB=1、…、ＮSB、iInterval=1、…、ＮInterval}を、同一更新プロセスにおける異なるフィードバック周期内にユーザiUEによってフィードバックしたプリコーディングコードブックにおけるＣＤＤ遅延値の集合とする。そのうち、iUEは、UEのインデックスである。iSBはサブバンドのインデックスである。iIntervalは時間領域のフィードバック周期のインデックスである。ＮSBはサブバンドの数である。ＮIntervalは、一回の更新プロセスにおけるフィードバック周期の数である。該集合に基づいて、基地局は、{ｄiUE（iSB、iInterval）、iSB=1、…、ＮSB、iInterval=1、…、ＮInterval}の確率密度分布関数を作成し、確率の最高のＮｔ個のＣＤＤ遅延値を、ユーザiUEの最適のプリコーディングコードブックにおけるＣＤＤ遅延値とする。このようにして得たＣＤＤ遅延値は、ユーザiUEによって最適なＣＤＤ遅延値として選択される最大確率を有する。従って、性能ゲインを提供でき、システム性能を保証する。
【０１９０】
方法２は、同一更新プロセスにおける異なるフィードバック周期内にUEによってフィードバックしたローカルの最適なプリコーディングコードブックにおけるＣＤＤ遅延値及びその対応するチャネル品質を用い、チャネル品質の確率密度分布状況に基づいて選択する。
【０１９１】
該方法を採用するときに、UEは、基地局に最適なＣＤＤ遅延値をフィードバックするとともに、最適なＣＤＤ遅延値に対応するチャネル品質をフィードバックする。ここで、{ｄiUE（iSB、iInterval）、iSB=1、…、ＮSB、iInterval=1、…、ＮInterval}を、ユーザiUEによってフィードバックしたローカルの最適なＣＤＤ遅延値の集合とし、{ＣiUE（iSB、iInterval）、iSB=1、…、ＮSB、iInterval=1、…、ＮInterval}を、ユーザiUEによってフィードバックした、{ｄiUE（iSB、iInterval）、iSB=1、…、ＮSB、iInterval=1、…、ＮInterval}に対応するＣＱＩとする。上記２つの集合に基づいて、基地局は、まず
【数１２】
2008118650.tif 000014
【０１９２】
を用いてＣ(ｄi)を算出する。Ｃ(ｄi)は、プリコーディングコードブックにおけるＣＤＤ遅延値がｄiであるＣＱＩの和を示す。そして、基地局は、{Ｃ(ｄi)}の確率分布関数を作成し、さらに、Ｃ(ｄi)の最高のＮｔ個のＣＤＤ遅延値をユーザiUEの最適なプリコーディングコードブックにおけるＣＤＤ遅延値とする。このようにして得たユーザiUEの最適なプリコーディングコードブックにおけるＣＤＤ遅延値は、最大の確率で、ユーザiUEがシステムに比較的に大きいＣＱＩを提供できるようにし、性能ゲインを提供でき、システム性能を保障する。
【０１９３】
各ユーザに対して、上述いずれかの方法を用いて、各ユーザにとって最適なプリコーディングコードブックにおけるＣＤＤ遅延値を取得できる。
【０１９４】
本発明の実施形態に係る基地局によってプリコーディングコードブックにおけるＣＤＤ遅延値の更新処理をスタートするシステムは、図３に示すシステムと同様の構成を採用してもよく、基地局及び複数のUEを含む。
【０１９５】
そのうち、受信側の構成は、実施形態１における対応部分とまったく同じである。即ち、
各UEは、受信アンテナ、チャネル推定サブモジュールを有するベースバンド復調モジュール、ローカルの最適なプリコーディングコードブックにおけるＣＤＤ遅延値取得モジュール、及びスタート更新信号受信ジュールを含む。
【０１９６】
上記受信アンテナは、基地局から信号を受信する。
【０１９７】
上記チャネル推定サブモジュールは、基地局から送信されたパイロット情報に基づいてチャネル推定を行う。
【０１９８】
上記スタート更新信号受信モジュールは、基地局からのＣＤＤ遅延値の更新スタート信号を受信して、ローカルの最適なプリコーディングコードブックにおけるＣＤＤ遅延値取得モジュールをスタートする。
【０１９９】
上記ローカルの最適なプリコーディングコードブックにおけるＣＤＤ遅延値取得モジュールは、スタート信号を受信した後、チャネル推定サブモジュールから出力したチャネル推定結果に基づいて、最適なチャネル品質を取得できるローカルの最適なプリコーディングコードブックにおけるＣＤＤ遅延値を、サブバンド毎にそれぞれ取得し、ローカルの最適なプリコーディングコードブックにおけるＣＤＤ遅延値、又は、ローカルの最適なプリコーディングコードブックにおけるＣＤＤ遅延値及びその対応するチャネル品質を基地局に送信する。
【０２００】
送信側である基地局の各モジュールは、実施形態１における対応モジュールと基本的に同じであり、スケジューリングモジュール、デマルチプレクスモジュール、プリコーディングモジュール、直列/並列変換モジュール、逆フーリエ変換モジュール、サイクリックプリフィックス挿入モジュール、送信アンテナ、ＣＤＤのプリコーディングコードブックモジュール、スタート更新信号送信モジュール、フィードバック情報受信モジュール、及び確率分析モジュールを含む。
【０２０１】
上記スケジューリングモジュールは、ユーザのフィードバック情報（例えばＣＱＩ）に基づいて、マルチユーザに対して無線リソースのスケジューリングを行い、異なるユーザに時間、周波数、空間、コードなどのリソースを割り当てる。
【０２０２】
上記デマルチプレクスモジュールは、データストリームをそれぞれ異なるアンテナブランチに送信する。
【０２０３】
上記プリコーディングモジュールは、データストリームに対してプリコーディング操作を行い、即ち、異なるアンテナブランチのデータシンボルに対して重み付け操作を行う。
【０２０４】
上記直列/並列変換モジュールは、直列のデータストリームを並列のデータストリームに変換する。
【０２０５】
上記逆フーリエ変換モジュールは、並列のデータストリームに対して逆フーリエ変換を行い、信号を周波数領域から時間領域に変換する。
【０２０６】
上記サイクリックプリフィックス挿入モジュールは、逆フーリエ変換モジュールを経由したデータにサイクリックプリフィックスを挿入する。
【０２０７】
上記送信アンテナは、アナログ信号を送信する。
【０２０８】
上記ＣＤＤのプリコーディングコードブックモジュールは、複数のコードブックを含むプリコーディングコードブックを記憶し、プリコーディングコードブックから最適なコードブックを選択して、データに対してプリコーディング操作を行う。
【０２０９】
上記スタート更新信号送信モジュールは、ＣＤＤ遅延値を更新するスタート信号を各UEに送信する。
【０２１０】
上記フィードバック情報受信モジュールは、各UEから送信されたローカルの最適なプリコーディングコードブックにおけるＣＤＤ遅延値、又は、ローカルの最適なプリコーディングコードブックにおけるＣＤＤ遅延値及びその対応するチャネル品質を受信する。
【０２１１】
ここで、上記確率分析モジュールは、実施形態１における対応モジュールと異なる。本実施形態の上記確率分析モジュールは、フィードバック情報受信モジュールで受信したフィードバック情報を用いて、各ユーザのフィードバック情報に対して確率分析を行うことで、各ユーザのために最適なプリコーディングコードブックにおけるＣＤＤ遅延値を選択する点で違っている。
【０２１２】
本実施形態の上記システムにおいて、基地局のスタート更新信号送信モジュールから各UEにＣＤＤ遅延値を更新するスタート信号を送信した後、各UEにおけるスタート更新信号受信モジュールが該スタート信号を受信し、ローカルの最適なプリコーディングコードブックにおけるＣＤＤ遅延値取得モジュールをスタートする。このとき、前記ローカルの最適なプリコーディングコードブックにおけるＣＤＤ遅延値取得モジュールは、チャネル推定サブモジュールから出力されたチャネル推定結果に基づいて、ユーザの取得したチャネル品質が最適になるようにすることができる最適なプリコーディングコードブックにおけるＣＤＤ遅延値を、サブバンド毎に取得し、ローカルの最適なプリコーディングコードブックにおけるＣＤＤ遅延値を基地局のフィードバック情報受信モジュールに送信する。そして、フィードバック情報受信モジュールは、受信した、各UEからのローカルの最適なプリコーディングコードブックにおけるＣＤＤ遅延値、又は、ローカルの最適なプリコーディングコードブックにおけるＣＤＤ遅延値及びその対応するチャネル品質を、確率分析モジュールに送信する。確率分析モジュールは、各UEのローカルの最適なプリコーディングコードブックにおけるＣＤＤ遅延値に対して独立に確率分布分析を行い、各ユーザのために確率の最大のＮｔ個のＣＤＤ遅延値を選択する。そして、確率分析モジュールは、各ユーザのために選択したＮｔ個のＣＤＤ遅延値を、ＣＤＤのプリコーディングコードブックモジュールに送信して、プリコーディングコードブックにおけるＣＤＤ遅延値を更新する。又は、確率分析モジュールは、各UEの最適なプリコーディングコードブックにおけるＣＤＤ遅延値に対応するチャネル品質に対して独立に確率分布分析を行い、各ユーザのために確率の最大のチャネル品質に対応するＮｔ個のＣＤＤ遅延値を選択し、ＣＤＤのプリコーディングコードブックモジュールに送信して、プリコーディングコードブックにおけるＣＤＤ遅延値を更新する。正常の動作プロセスにおいて、スケジューリングされたユーザのデータに対して、基地局は、該ユーザに対応するプリコーディングコードブックにおけるＣＤＤ遅延値を用いて該データを処理する。
【０２１３】
図８に示す実施形態に係る方法は、図４に示すシステムによっても実現できる（上述を参照）。本実施形態における確率分析モジュールの機能は、実施形態１における確率分析モジュールと異なり、また、該システムは、UEによって（タイミングモジュールによって）プリコーディングコードブックにおけるＣＤＤ遅延値の更新を周期的、自動的にスタートする。
【０２１４】
実施形態４
本実施形態において、受信側であるUEによって、自身のチャネル特性情報を取得し、さらに、送信側である基地局によって、各UEからのチャネル特性情報に基づいて、各ユーザのために最適なプリコーディングコードブックにおけるＣＤＤ遅延値を合理的に選択して、プリコーディングコードブックにおけるＣＤＤ遅延値の適応更新を実現し、システム性能を最大限に保障する。図９を参照すると、基地局及び複数のUEを含み、ＣＤＤのプリコーディング技術を応用したマルチユーザスケジューリングのＭＩＭＯ-ＯＦＤＭＡシステムにおいて、本発明の実施形態に係る方法は、以下のステップを含む。
【０２１５】
ステップ９０１において、基地局は、UEにスタート信号を送信して、プリコーディングコードブックにおけるＣＤＤ遅延値の更新プロセスをスタートし、又は、UEによって、プリコーディングコードブックにおけるＣＤＤ遅延値の更新プロセスを周期的、自動的にスタートする。
【０２１６】
ステップ９０２において、フィードバック周期毎に、UEは、基地局から送信されたパイロット情報を用いてチャネル推定を行い、チャネル推定結果に基づいてチャネル特性を判断し、取得したチャネル特性情報を基地局にフィードバックする。
【０２１７】
ステップ９０３において、基地局は、更新プロセスにおいて異なるフィードバック周期に取得した、各UEからのチャネル特性情報を用いて、各ユーザのために最適なプリコーディングコードブックにおけるＣＤＤ遅延値を合理的に選択する。
【０２１８】
ステップ９０４において、基地局は、選択したプリコーディングコードブックにおけるＣＤＤ遅延値に基づいて、プリコーディングコードブックにおけるＣＤＤ遅延値を更新して、各UEに通知する。
【０２１９】
ステップ９０５において、システムは、更新後のプリコーディングコードブックにおけるＣＤＤ遅延値において正常に動作する。
【０２２０】
基地局が再びＣＤＤ遅延値の更新をスタートしない、又は、UEによって周期的、自動的にＣＤＤ遅延値の更新をスタートするタイミング周期が来なかった場合に、UEがＣＤＤ遅延値を更新する必要がなく、基地局がグローバルのＣＤＤ遅延値を選択する必要もない。
【０２２１】
上記ステップ９０２において、UEは、基地局から送信されたパイロット情報を用いてチャネル推定を行い、チャネル推定結果に基づいて、チャネル特性を判断する。チャネル特性情報は、下記のものを含んでもよい。
【０２２２】
見通し通信と非見通し通信：見通し通信は、送信側と受信側の間に障害物がないため、直線伝送ができ、チャネル応答に相対的に一定となるコンボーネントを持たせる。非見通し通信は、送信側と受信側の間に障害物が存在するため、直線伝送のコンボーネントがない。
【０２２３】
ファストフェ−ジングとスローフェ−ジング：ファストフェ−ジングとは、チャネル応答が時間領域において迅速に変化するフェ−ジングであって、ユーザの快速移動によるものである。スローフェ−ジングとは、チャネル応答が時間流域において遅く変化し、隣接時間のチャネル応答間の相関性が比較的に強いフェ−ジングであって、ユーザの低速移動によるものである。
【０２２４】
フラットフェ−ジングと周波数選択性フェ−ジング：フラットフェ−ジングとは、チャネルの周波数領域応答が比較的に平坦であり、即ち、時間領域におけるチャネル応答のマルチパス数が比較的少ないフェ−ジングである。周波数選択性フェ−ジングとは、チャネルの周波数領域応答が周波数の変化につれて激しく変化し、即ち、時間領域におけるチャネル応答のマルチパスが比較的に多いフェ−ジングである。
【０２２５】
いずれのチャネル特性情報であっても、簡単な符号化によって基地局に送信することができる。基地局は、各UEからのチャネル特性情報に基づいて、各ユーザのために最適なプリコーディングコードブックにおけるＣＤＤ遅延値を合理的に選択する。
【０２２６】
異なるチャネル特性に対応する適切なプリコーディングコードブックにおけるＣＤＤ遅延値はそれぞれ異なる。詳しくは下記である。
【０２２７】
見通し通信と非見通し通信について説明すると、見通し通信のチャネルには、大きいプリコーディングコードブックにおけるＣＤＤ遅延値が適用し、非見通し通信のチャネルには、小さいプリコーディングコードブックにおけるＣＤＤ遅延値が適用する。
【０２２８】
ファストフェ−ジングとスローフェ−ジングについて説明すると、ファストフェ−ジングのチャネルには、大きいプリコーディングコードブックにおけるＣＤＤ遅延値が適用し、スローフェ−ジングのチャネルには、小さいプリコーディングコードブックにおけるＣＤＤ遅延値が適用する。
【０２２９】
フラットフェ−ジングと周波数選択性フェ−ジングについて説明すると、フラットフェ−ジングのチャネルには、大きいプリコーディングコードブックにおけるＣＤＤ遅延値が適用し、周波数選択性フェ−ジングのチャネルには、小さいプリコーディングコードブックにおけるＣＤＤ遅延値が適用する。
【０２３０】
ステップ９０３において、前記基地局は、更新プロセスにおいて異なるフィードバック周期内に取得した、各UEからのチャネル特性情報を用いて、各ユーザのためにプリコーディングコードブックにおけるＣＤＤ遅延値を合理的に選択する。該ステップにおいて、下記二種類の方法を採用してもよい。
【０２３１】
方法１：基地局は、ユーザからフィードバックしたチャネル特性情報に基づいて、各ユーザ毎に異なるチャネル特性の確率分布を分析する。確率の最大のチャネル特性情報に対して、上述三つの関係に基づいて、各ユーザのためにプリコーディングコードブックにおけるＣＤＤ遅延値を選択する。即ち、確率の最大のチャネル特性にマッチングするＮｔ個のＣＤＤ遅延値を選択して、該当するユーザのプリコーディングコードブックにおけるＣＤＤ遅延値とする。
【０２３２】
方法２：基地局は、ユーザからフィードバックしたチャネル特性情報に基づいて、先ず各ユーザのチャネルにはどんなプリコーディングコードブックにおけるＣＤＤ遅延値（大きいＣＤＤ遅延値又は小さいＣＤＤ遅延値）が適用するかを判断し、その後、各ユーザ毎に大きいと小さいＣＤＤ遅延値の確率分布を分析し、確率の最大のＮｔ個のＣＤＤ遅延値を選択して、該当するユーザの最適なプリコーディングコードブックにおけるＣＤＤ遅延値とする。
【０２３３】
本発明の実施形態に係る、基地局によってプリコーディングコードブックにおけるＣＤＤ遅延値の更新処理をスタートするシステムは、図６に示すシステムと同じ構成にしてもよい。即ち、基地局及び複数のUEを含む。
【０２３４】
そのうち、受信側の構成は、実施形態２における対応部分とまったく同じである。
【０２３５】
即ち、各UEは、受信アンテナ、チャネル推定サブモジュールを有するベースバンド復調モジュール、チャネル特性判断モジュール、及びスタート更新信号受信ジュールを含む。
【０２３６】
上記受信アンテナは、基地局から信号を受信する。
【０２３７】
上記チャネル推定サブモジュールは、基地局から送信されたパイロット情報に基づいてチャネル推定を行う。
【０２３８】
上記スタート更新信号受信モジュールは、基地局からのＣＤＤ遅延値の更新スタート信号を受信して、チャネル特性判断モジュールをスタートする。
【０２３９】
上記チャネル特性判断モジュールは、スタート信号を受信した後、チャネル推定サブモジュールから出力したチャネル推定結果に基づいて、チャネル特性を判断し、取得したチャネル特性情報を基地局に送信する。
【０２４０】
送信側である基地局の各モジュールの構成は、実施形態２における対応モジュールと基本的に同じである。スケジューリングモジュール、デマルチプレクスモジュール、プリコーディングモジュール、直列/並列変換モジュール、逆フーリエ変換モジュール、サイクリックプリフィックス挿入モジュール、送信アンテナ、ＣＤＤのプリコーディングコードブックモジュール、スタート更新信号送信モジュール、フィードバック情報受信モジュール、及び確率分析モジュールを含む。
【０２４１】
上記スケジューリングモジュールは、ユーザのフィードバック情報（例えばＣＱＩ）に基づいてマルチユーザに対して無線リソースのスケジューリングを行い、異なるユーザに時間、周波数、空間、コードなどのリソースを割り当てる。
【０２４２】
上記デマルチプレクスモジュールは、データストリームをそれぞれ異なるアンテナブランチに送信する。
【０２４３】
上記プリコーディングモジュールは、データストリームに対してプリコーディング操作を行い、即ち、異なるアンテナブランチのデータシンボルに対して重み付け操作を行う。
【０２４４】
上記直列/並列変換モジュールは、直列のデータストリームを並列のデータストリームに変換する。
【０２４５】
上記逆フーリエ変換モジュールは、並列のデータストリームに対して逆フーリエ変換を行い、信号を周波数領域から時間領域に変換する。
【０２４６】
上記サイクリックプリフィックス挿入モジュールは、逆フーリエ変換モジュールを経由したデータにサイクリックプリフィックスを挿入する。
【０２４７】
上記送信アンテナは、アナログ信号を送信する。
【０２４８】
上記ＣＤＤのプリコーディングコードブックモジュールは、複数のコードブックを含むプリコーディングコードブックを記憶し、プリコーディングコードブックから最適なコードブックを選択して、データに対してプリコーディング操作を行う。
【０２４９】
上記スタート更新信号送信モジュールは、各UEにＣＤＤ遅延値を更新するスタート信号を送信する。
【０２５０】
上記フィードバック情報受信モジュールは、各UEから送信されたチャネル特性情報を受信する。
【０２５１】
上記確率分析モジュールは、実施形態１における対応モジュールと異なる。その差異は、本実施形態における上記確率分析モジュールは、フィードバック情報受信モジュールで受信したチャネル特性情報を用いて、各ユーザのチャネル特性に対して確率分析を行うことで、各ユーザのために最適なプリコーディングコードブックにおけるＣＤＤ遅延値を選択し、ＣＤＤのプリコーディングコードブックモジュールに送信して、プリコーディングコードブックにおけるＣＤＤ遅延値を更新する。
【０２５２】
本実施形態のシステムにおいて、基地局のスタート更新信号送信モジュールから各UEにＣＤＤ遅延値を更新するスタート信号を送信した後、各UEにおけるスタート更新信号受信モジュールが該スタート信号を受信し、チャネル特性判断モジュールをスタートする。このとき、上記チャネル特性判断モジュールは、チャネル推定サブモジュールから出力されたチャネル推定結果に基づいて、該ユーザのチャネル特性情報を判断し、取得したチャネル特性情報を基地局のフィードバック情報受信モジュールに送信する。そして、フィードバック情報受信モジュールは、受信した、各UEからのチャネル特性情報を確率分析モジュールに送信する。確率分析モジュールは、各UEのチャネル特性に対して確率分布分析を行い、各ユーザのために確率の最大のチャネル特性にマッチングするＮｔ（送信アンテナ数）個のＣＤＤ遅延値を選択する。そして、確率分析モジュールは、選択したＮｔ個のＣＤＤ遅延値を、ＣＤＤのプリコーディングコードブックモジュールに送信して、プリコーディングコードブックにおけるＣＤＤ遅延値を更新する。又は、確率分析モジュールは、各UEのチャネル特性にマッチングするＣＤＤ遅延値に対して確率分布分析を行い、各ユーザのために確率の最大のＮｔ個のＣＤＤ遅延値を選択し、ＣＤＤのプリコーディングコードブックモジュールに送信して、プリコーディングコードブックにおけるＣＤＤ遅延値を更新する。
【０２５３】
図９に示す実施形態に係る方法は、図７に示すシステムによっても実現できる（上述を参照）。本実施形態における確率分析モジュールは、実施形態１における確率分析モジュールの機能と異なり、該システムは、UEによって（タイミングモジュールによって）プリコーディングコードブックにおけるＣＤＤ遅延値の更新を周期的、自動的にスタートする。
【０２５４】
実施形態５
本実施形態において、送信側である基地局によって、複数の周期内に統計したセルの性能に基づいて、プリコーディングコードブックにおけるＣＤＤ遅延値の更新が必要かを判断する。必要でないと判断したとき、プリコーディングコードブックにおけるＣＤＤ遅延値を保持する。必要と判断したとき、プリコーディングコードブックにおけるＣＤＤ遅延値を更新し、プリコーディングコードブックにおけるＣＤＤ遅延値の適応更新を実現することで、システム性能を最大限に保障する。図１０を参照すると、基地局からなる、ＣＤＤのプリコーディング技術を応用したＭＩＭＯ-ＯＦＤＭＡシステムにおいて、本発明の実施形態に係る方法は、下記ステップを含む。
【０２５５】
ステップ１００１において、基地局は、セルの性能を周期的に統計する。
【０２５６】
需要に応じて、上記セルの性能は、平均スループット、平均符号誤り率性能、平均遅延性能、セルエッジのユーザスループット等であってもよい。
【０２５７】
ステップ１００２において、統計周期毎に、基地局は、セルの性能及びその対応するＣＤＤ遅延値を記録する。
【０２５８】
ステップ１００３において、基地局は、記録した複数の周期におけるセルの性能に基づいて、セル性能が低下したかを判断する。ＮＯと判断した場合にはステップ１００５に進み、ＹＥＳと判断した場合にはステップ１００４に進む。
【０２５９】
ステップ１００４において、基地局は、プリコーディングコードブックにおけるＣＤＤ遅延値を更新する。
【０２６０】
更新の方法として、基地局の記録情報に基づいて、使用したことのないＣＤＤ遅延値を優先的に使用するか、又は、過去の一定時間内に性能が比較的によかったＣＤＤ遅延値を優先的に使用する方法がある。更新後のＣＤＤ遅延値は、システム設計要求に応じて、端末に送信してもよいし、端末に通知しなくても良い。
【０２６１】
ステップ１００５において、プリコーディングコードブックにおけるＣＤＤ遅延値を保持する。
【０２６２】
ステップ１００６において、正常にシグナリング、データ通信を行う。
【０２６３】
図１１を参照すると、本実施形態の、基地局によってプリコーディングコードブックにおけるＣＤＤ遅延値の更新処理をスタートするシステムは、送信側である基地局を含む。
【０２６４】
基地局は、スケジューリングモジュール、デマルチプレクスモジュール、プリコーディングモジュール、直列/並列変換モジュール、逆フーリエ変換モジュール、サイクリックプリフィックス挿入モジュール、送信アンテナ、ＣＤＤのプリコーディングコードブックモジュール、ＣＤＤ遅延値更新モジュール、統計結果記憶モジュール、及びセル性能統計モジュールを含む。
【０２６５】
上記スケジューリングモジュールは、ユーザのフィードバック情報（例えばＣＱＩ）に基づいてマルチユーザに対して無線リソースのスケジューリングを行い、異なるユーザに時間、周波数、空間、コードなどのリソースを割り当てる。
【０２６６】
上記デマルチプレクスモジュールは、データストリームをそれぞれ異なるアンテナブランチに送信する。
【０２６７】
上記プリコーディングモジュールは、データストリームに対してプリコーディング操作を行い、即ち、異なるアンテナブランチのデータシンボルに対して重み付け操作を行う。
【０２６８】
上記直列/並列変換モジュールは、直列のデータストリームを並列のデータストリームに変換する。
【０２６９】
上記逆フーリエ変換モジュールは、並列のデータストリームに対して逆フーリエ変換を行い、信号を周波数領域から時間領域に変換する。
【０２７０】
上記サイクリックプリフィックス挿入モジュールは、逆フーリエ変換モジュールを経由したデータにサイクリックプリフィックスを挿入する。
【０２７１】
上記送信アンテナは、アナログ信号を送信する。
【０２７２】
上記ＣＤＤのプリコーディングコードブックモジュールは、複数のコードブックを含むプリコーディングコードブックを記憶し、プリコーディングコードブックから最適なコードブックを選択して、データに対してプリコーディング操作を行う。
【０２７３】
上記セル性能統計モジュールは、セルの性能を周期的に統計し、セルの性能及びその対応するＣＤＤ遅延値を、統計結果記憶モジュールに記憶する。
【０２７４】
上記ＣＤＤ遅延値更新モジュールは、統計結果記憶モジュールに記憶した結果を用いてプリコーディングコードブックにおけるＣＤＤ遅延値を更新する。
【０２７５】
そのうち、上記ＣＤＤ遅延値更新モジュールは、基地局の記録情報に基づいて、使用したことのないＣＤＤ遅延値を用いて、プリコーディングコードブックにおけるＣＤＤ遅延値を更新するか、或いは、基地局の記録情報に基づいて、過去の一定時間内に性能が比較的によかったＣＤＤ遅延値を用いて、プリコーディングコードブックにおけるＣＤＤ遅延値を更新する。
【０２７６】
実施形態６
本実施形態において、送信側である基地局によって、複数の周期内に統計した各ユーザの性能に基づいて、該当するユーザのプリコーディングコードブックにおけるＣＤＤ遅延値の更新が必要かを判断する。必要でないと判断したとき、該ユーザのプリコーディングコードブックにおけるＣＤＤ遅延値を保持する。必要と判断したとき、該ユーザのプリコーディングコードブックにおけるＣＤＤ遅延値を更新し、各ユーザの独立した、プリコーディングコードブックにおけるＣＤＤ遅延値の適応更新を実現することで、システム性能を最大限に保障する。図１２を参照すると、基地局からなる、ＣＤＤのプリコーディング技術を応用したマルチユーザのスケジューリングのＭＩＭＯ-ＯＦＤＭＡシステムにおいて、本発明の実施形態に係る方法は、下記ステップを含む。
【０２７７】
ステップ１２０１において、基地局は、各ユーザの性能を周期的に統計する。
【０２７８】
需要に応じて、上記セルの性能は、平均スループット、平均符号誤り率性能、平均遅延性能であってもよい。
【０２７９】
ステップ１２０２において、統計周期毎に、基地局は、ユーザの性能及びその対応するＣＤＤ遅延値を記録する。
【０２８０】
ステップ１２０３において、基地局は、記録した複数の周期におけるユーザの性能に基づいて、ユーザの性能が低下したかを判断する。ＮＯと判断した場合にはステップ１２０５に進み、ＹＥＳと判断した場合にはステップ１２０４に進む。
【０２８１】
ステップ１２０４において、基地局は、該当するユーザのプリコーディングコードブックにおけるＣＤＤ遅延値を更新する。
【０２８２】
更新の方法として、基地局の記録情報に基づいて、使用したことのないＣＤＤ遅延値を優先的に使用するか、又は、過去の一定時間内に性能が比較的によかったＣＤＤ遅延値を優先的に使用する。更新後のＣＤＤ遅延値は、システム設計要求に応じて、端末に送信してもよいし、端末に通知しなくても良い。
【０２８３】
ステップ１２０５において、プリコーディングコードブックにおけるＣＤＤ遅延値を保持する。
【０２８４】
ステップ１２０６において、正常にシグナリング、データ通信を行う。
【０２８５】
図１３を参照すると、本実施形態の、基地局によってプリコーディングコードブックにおけるＣＤＤ遅延値の更新処理をスタートするシステムは、送信側の基地局を含む。
【０２８６】
基地局には、スケジューリングモジュール、デマルチプレクスモジュール、プリコーディングモジュール、直列/並列変換モジュール、逆フーリエ変換モジュール、サイクリックプリフィックス挿入モジュール、送信アンテナ、ＣＤＤのプリコーディングコードブックモジュール、ＣＤＤ遅延値更新モジュール、統計結果記憶モジュール、及びユーザ性能統計モジュールを含む。
【０２８７】
上記スケジューリングモジュールは、ユーザのフィードバック情報（例えばＣＱＩ）に基づいてマルチユーザに対して無線リソースのスケジューリングを行い、異なるユーザに時間、周波数、空間、コードなどのリソースを割り当てる。
【０２８８】
上記デマルチプレクスモジュールは、データストリームをそれぞれ異なるアンテナブランチに送信する。
【０２８９】
上記プリコーディングモジュールは、データストリームに対してプリコーディング操作を行い、即ち、異なるアンテナブランチのデータシンボルに対して重み付け操作を行う。
【０２９０】
上記直列/並列変換モジュールは、直列のデータストリームを並列のデータストリームに変換する。
【０２９１】
上記逆フーリエ変換モジュールは、並列のデータストリームに対して逆フーリエ変換を行い、信号を周波数領域から時間領域に変換する。
【０２９２】
上記サイクリックプリフィックス挿入モジュールは、逆フーリエ変換モジュールを経由したデータにサイクリックプリフィックスを挿入する。
【０２９３】
上記送信アンテナは、アナログ信号を送信する。
【０２９４】
上記ＣＤＤのプリコーディングコードブックモジュールは、複数のコードブックを含むプリコーディングコードブックを記憶し、プリコーディングコードブックから最適なコードブックを選択して、データに対してプリコーディング操作を行う。
【０２９５】
上記ユーザ性能統計モジュールは、ユーザの性能を周期的に統計し、ユーザの性能及びその対応するＣＤＤ遅延値を、統計結果記憶モジュールに記憶する。
【０２９６】
上記ＣＤＤ遅延値更新モジュールは、統計結果記憶モジュールに記憶した結果を用いて該当するユーザのプリコーディングコードブックにおけるＣＤＤ遅延値を更新する。
【０２９７】
そのうち、上記ＣＤＤ遅延値更新モジュールは、基地局の記録情報に基づいて、使用したことのないＣＤＤ遅延値を用いて、該当するユーザのプリコーディングコードブックにおけるＣＤＤ遅延値を更新するか、或いは、基地局の記録情報に基づいて、過去の一定時間内に性能が比較的によかったＣＤＤ遅延値を用いて、該当するユーザのプリコーディングコードブックにおけるＣＤＤ遅延値を更新する。
【０２９８】
本発明のＣＤＤ遅延値の確定方法、システム、基地局及びUEは、明細書及び実施形態の記載に限るものではない。本発明の技術的範囲は上記の説明から妥当な特許請求の範囲に係る発明特定事項によってのみ定められるものである。
【図面の簡単な説明】
【０２９９】
【図１】図１は、従来のプリコーディングシステムの送信側の構成を示す図である。
【図２】図２は、実施形態１に係るシステムの動作を示すフローチャートである。
【図３】図３は、実施形態１に係るシステムの構成を示す図である。
【図４】図４は、実施形態１に係るもう一つのシステムの構成を示す図である。
【図５】図５は、実施形態２に係るシステムの動作を示すフローチャートである。
【図６】図６は、実施形態２に係るシステムの構成を示す図である。
【図７】図７は、実施形態２に係るもう一つのシステムの構成を示す図である。
【図８】図８は、実施形態３に係るシステムの動作を示すフローチャートである。
【図９】図９は、実施形態４に係るシステムの動作を示すフローチャートである。
【図１０】図１０は、実施形態５に係るシステムの動作を示すフローチャートである。
【図１１】図１１は、実施形態５に係る送信側の構成を示す図である。
【図１２】図１２は、実施形態６に係るシステムの動作を示すフローチャートである。
【図１３】図１３は、実施形態６に係る送信側の構成を示す図である。
【符号の説明】
【０３００】
２０１〜２０５…ステップ、５０１〜５０５…ステップ、８０１〜８０５…ステップ、９０１〜９０５…ステップ、１００１〜１００６…ステップ、１２０１〜１２０６…ステップ
【図１】
2008118650.tif 000015
【図２】
2008118650.tif 000016
【図３】
2008118650.tif 000017
【図４】
2008118650.tif 000018
【図５】
2008118650.tif 000019
【図６】
2008118650.tif 000020
【図７】
2008118650.tif 000021
【図８】
2008118650.tif 000022
【図９】
2008118650.tif 000023
【図１０】
2008118650.tif 000024
【図１１】
2008118650.tif 000025
【図１２】
2008118650.tif 000026
【図１３】
2008118650.tif 000027